(57)【特許請求の範囲】
【請求項１】
アプリケーションサーバとコアネットワークとの間にあるデバイスによって実行される方法であって、
前記デバイスにおいて、ワイヤレス送受信ユニット（ＷＴＲＵ）に関する１つまたは複数の設定を設定する要求を受信するステップであって、前記設定は、前記ＷＴＲＵに関する到達可能性に関連し、前記要求は、アプリケーションサーバから最初に発信される、ステップと、
前記要求が受け入れ可能かどうかを決定するステップと、
前記要求が受け入れ可能であることに基づいて前記ＷＴＲＵに関する設定値を決定し且つ前記設定値を前記コアネットワークへ送信するステップと、
前記要求が受け入れ可能でないことを条件に、なぜ前記要求が受け入れ可能でないかを示す理由を含む応答を前記アプリケーションサーバに送信するステップと
を備えることを特徴とする方法。
【請求項２】
前記１つまたは複数の設定は、前記ＷＴＲＵに関する省電力モード（ＰＳＭ）を非アクティブ化するインジケーションをさらに備えることを特徴とする請求項１に記載の方法。
【請求項３】
前記設定値は、前記ＷＴＲＵがＰＳＭを非アクティブ化するというインジケーションをさらに備えることを特徴とする請求項２に記載の方法。
【請求項４】
前記設定値は、追跡エリア更新（ＴＡＵ）タイマに関する時間をさらに備えることを特徴とする請求項２に記載の方法。
【請求項５】
前記ＷＴＲＵに関する到達可能性の期間を示す時間が閾値未満である、または範囲外であると判定するステップと、
前記設定値を前記ＷＴＲＵに向かわせないようにすることを決定するステップとをさらに含むことを特徴とする請求項１に記載の方法。
【請求項６】
前記ＷＴＲＵに関する到達可能性の期間を示す時間が閾値を超えている、または範囲内であると判定するステップと、
前記設定値を前記ＷＴＲＵに向かわせるステップとをさらに含むことを特徴とする請求項１に記載の方法。
【請求項７】
アクティブタイマが満了すると、前記ＷＴＲＵは、ＰＳＭに入るように構成されることを特徴とする請求項２に記載の方法。
【請求項８】
前記設定についての前記設定値を示すことの後に続いて、前記デバイスを介して、前記設定を設定する前記要求に関する応答メッセージを前記アプリケーションサーバに送信するステップをさらに含むことを特徴とする請求項１に記載の方法。
【請求項９】
前記アプリケーションサーバからの前記要求、または前記１つまたは複数の設定は、前記デバイスが、１つまたは複数の予防的措置をとるべきか、またはとるべきでないかのインジケーションを備え、前記予防的措置は、前記ＷＴＲＵにおいてＰＳＭ機能をイネーブルにするため、またはディセーブルにするための１つまたは複数のアクションを含むことを特徴とする請求項１に記載の方法。
【請求項１０】
前記１つまたは複数のアクションは、
前記ＷＴＲＵにページングを送信することによってアイドルモードにある前記ＷＴＲＵにおいてＰＳＭ設定の変更を強制して、接続モードに入り、その後、ＰＳＭ設定を変更するよう前記ＷＴＲＵを強制するように構成されたアクション、
前記ＷＴＲＵに、システムに再アタッチするよう前記ＷＴＲＵを強制するように構成された前記ＷＴＲＵの国際モバイル加入者識別子（ＩＭＳＩ）でページングを行うことによって、前記ＷＴＲＵにおいてＰＳＭ設定の変更を強制するように構成されたアクション、
システムアーキテクチャ（ＳＡＥ）一時モバイル加入者識別子（Ｓ−ＴＭＳＩ）で前記ＷＴＲＵにページングを行うように構成されたアクション、
Ｓ−ＴＭＳＩで前記ＷＴＲＵにページングを行って、前記ＷＴＲＵが（拡張された）サービス要求メッセージを送信することをトリガするように構成されたアクション、または
追跡エリア更新要求またはアタッチ要求を送信するよう前記ＷＴＲＵを強制するように構成されたアクション
のうちの１または複数を含むことを特徴とする請求項９に記載の方法。
【請求項１１】
アプリケーションサーバとコアネットワークとの間にあるデバイスであって、
ワイヤレス送受信ユニット（ＷＴＲＵ）に関する１つまたは複数の設定を設定する要求を受信することであって、前記設定は、前記ＷＴＲＵに関する到達可能性に関し、前記要求は、アプリケーションサーバから最初に発信される、ことと、
前記要求が受け入れ可能かどうかを決定することと、
前記要求が受け入れ可能であることに基づいて前記ＷＴＲＵに関する設定値を決定し且つ前記設定値を前記コアネットワークへ送信すること、および
前記要求が受け入れ可能でないことを条件に、なぜ前記要求が受け入れ可能でないかを示す理由を含む応答を前記アプリケーションサーバに送信することと
を行うように構成されたプロセッサを備えたことを特徴とするデバイス。
【請求項１２】
前記１つまたは複数の設定は、前記ＷＴＲＵに関する省電力モード（ＰＳＭ）を非アクティブ化するインジケーションをさらに備えることを特徴とする請求項１１に記載のデバイス。
【請求項１３】
前記設定値は、前記ＷＴＲＵがＰＳＭを非アクティブ化するというインジケーションをさらに備えることを特徴とする請求項１２に記載のデバイス。
【請求項１４】
前記設定値は、追跡エリア更新（ＴＡＵ）タイマに関する時間をさらに備えることを特徴とする請求項１２に記載のデバイス。
【請求項１５】
前記プロセッサは、
前記ＷＴＲＵに関する到達可能性の期間を示す時間が閾値未満である、または範囲外であると判定すること、および
前記設定値を前記ＷＴＲＵに向かわせないようにすることを決定することを行うようにさらに構成されることを特徴とする請求項１１に記載のデバイス。
【請求項１６】
前記ＷＴＲＵに関する到達可能性の期間を示す時間が閾値を超えている、または範囲内であると判定すること、および
前記設定値を前記ＷＴＲＵに向かわせることをさらに含むことを特徴とする請求項１１に記載のデバイス。
【請求項１７】
アクティブタイマが満了すると、前記ＷＴＲＵは、ＰＳＭに入るように構成されることを特徴とする請求項１２に記載のデバイス。
【請求項１８】
前記プロセッサは、前記設定についての前記設定値を示すことの後に続いて、前記設定を設定する前記要求に関する応答メッセージを前記アプリケーションサーバに送信するようにさらに構成されることを特徴とする請求項１１に記載のデバイス。
【請求項１９】
前記アプリケーションサーバからの前記要求、または前記１つまたは複数の設定は、前記デバイスが、１つまたは複数の予防的措置をとるべきか、またはとるべきでないかのインジケーションを備え、前記予防的措置は、前記ＷＴＲＵにおいてＰＳＭ機能をイネーブルにするため、またはディセーブルにするための１つまたは複数のアクションを含むことを特徴とする請求項１１に記載のデバイス。
【請求項２０】
前記１つまたは複数のアクションは、
前記ＷＴＲＵにページングを送信することによってアイドルモードにある前記ＷＴＲＵにおいてＰＳＭ設定の変更を強制して、接続モードに入り、その後、ＰＳＭ設定を変更するよう前記ＷＴＲＵを強制するように構成されたアクション、
前記ＷＴＲＵに、システムに再アタッチするよう前記ＷＴＲＵを強制するように構成された前記ＷＴＲＵの国際モバイル加入者識別子（ＩＭＳＩ）でページングを行うことによって、前記ＷＴＲＵにおいてＰＳＭ設定の変更を強制するように構成されたアクション、
システムアーキテクチャ（ＳＡＥ）一時モバイル加入者識別子（Ｓ−ＴＭＳＩ）で前記ＷＴＲＵにページングを行うように構成されたアクション、
Ｓ−ＴＭＳＩで前記ＷＴＲＵにページングを行って、前記ＷＴＲＵが（拡張された）サービス要求メッセージを送信することをトリガするように構成されたアクション、または
追跡エリア更新要求またはアタッチ要求を送信するよう前記ＷＴＲＵを強制するように構成されたアクション
のうちの１または複数を含むことを特徴とする請求項１９に記載のデバイス。
【発明の詳細な説明】
【技術分野】
【０００１】
本願発明は、マシンタイプ通信に関する。
【背景技術】
【０００２】
マシンツーマシン（Ｍ２Ｍ）通信デバイスとも呼ばれるマシンタイプ通信（ＭＴＣ）デバイスは、サービス区域に関する様々なワイヤレスシステム（例えば、セキュリティシステム、追尾および追跡システム、支払いシステム、ヘルスケアシステム、遠隔メンテナンスおよび制御システム、計測システム、および類似したもの）、ならびにサポートするワイヤレス家庭用電子デバイスをサポートする様々なＭＴＣアプリケーションを提供することが可能である。また、ＭＴＣ機能を有するワイヤレス送信／受信ユニット（ＷＴＲＵ）が、ますます利用可能になっている。そのようなＭＴＣデバイスは、ＭＴＣワイヤレス送信／受信ユニット（ＭＴＣ  ＷＴＲＵ）と呼ばれ得る。ＭＴＣ  ＷＴＲＵのこの普及とともに来るのが、ＭＴＣトラフィック（非ＭＴＣ  ＷＴＲＵによって生成されるトラフィックと一緒に）における可能性のある急なサージによる、かつ／または電力消費でコアネットワーク（ＣＮ）を過負荷にする潜在性である。現在、ネットワークにおいてＭＴＣ  ＷＴＲＵによってもたらされる輻輳を制御するため、および／または電力消費（例えば、省電力化モードに起因するデバイスの到達可能性などの）を管理するための技法が、ネットワークオペレータに利用可能であり得る。残念ながら、輻輳制御および／または電力消費のためのそのような技法は、個々のＭＣＴ  ＷＴＲＵ、またはＷＴＲＵの個々のグループに１または複数のアプリケーションサーバによって一般的なサービスまたは特定のサービスを提供するようにネットワークに対する契約を獲得するサードパーティ企業には利用可能でない可能性がある。
【発明の概要】
【０００３】
輻輳を制御するための手順、機構、および技法の例示的な実施様態が説明される。マシンタイプ通信（ＭＴＣ）が、アプリケーションサーバとコアネットワークの間に配置されたインターフェースを定義することによってアプリケーションサーバにアプリケーション層サポートを提供するように構成され得る。インターフェースは、アプリケーションサーバが、少なくとも１つのワイヤレス送信／受信ユニット、ＷＴＲＵのグループ、またはＷＴＲＵのグループのサブセットの間で１または複数の規則および／または機能の執行を要求することを可能にするために構成され得る。
【０００４】
１または複数の要求される規則および／または機能の例は、少なくとも１つのＷＴＲＵ、ＷＴＲＵのグループ、またはＷＴＲＵのグループのサブセットにサービス利用不能およびサービス再開について知らせることを含み得る。１または複数の規則および／または機能は、アプリケーションサーバが、少なくとも１つのＷＴＲＵ、ＷＴＲＵのグループ、またはＷＴＲＵのグループのサブセットにおける省電力化設定を変更することを可能にし得る。
【０００５】
インターフェースは、アプリケーションサーバとコアネットワークの間に配置されたミドルノード、中間ノード、またはゲートウェイ機能であることが可能である。ミドルノード、中間ノード、またはゲートウェイ機能は、インターワーキング機能（ＩＦＷ）と呼ばれ得る。インターフェースは、アプリケーションサーバとコアネットワークの間に配置された直接インターフェースであり得る。
【０００６】
アプリケーションサーバは、１または複数の要求バックオフパラメータと一緒に１または複数の規則および／または機能の執行を要求するように構成され得る。
【０００７】
少なくとも１つのワイヤレス送信／受信ユニット、ＷＴＲＵのグループ、またはＷＴＲＵのグループのサブセットにおいて省電力化モード（ＰＳＭ）機能をトリガする手順、機構、および技法の例が説明される。トリガは、１または複数の所定のＰＳＭ設定を設定するアプリケーション層要求に応答することが可能であり、トリガは、１または複数のアプリケーションサーバ（ＡＳ）から発信されて、アプリケーションサーバがＰＳＭ機能をイネーブルにすること、およびディセーブルにすることを要求することを可能にするために構成されたインターフェースを介してコアネットワークに向けられる。
【０００８】
１または複数の所定のＰＳＭ設定は、少なくとも１つのワイヤレス送信／受信ユニット、ＷＴＲＵのグループ、またはＷＴＲＵのグループのサブセットにおいてＰＳＭをアクティブ化するインジケーションと、少なくとも１つのワイヤレス送信／受信ユニット、ＷＴＲＵのグループ、またはＷＴＲＵのグループのサブセットにおいてＰＳＭを非アクティブ化するインジケーションとを含み得る。
【０００９】
サービングノードが、ＰＳＭ機能を制御するように構成されたアクティブタイマを提供するように構成され得る。
【００１０】
ＡＳが、サービングノードが１または複数の所定の事前対応の措置をとるべきか、またはとらないべきかのインジケーションを含むように構成され得る。所定の事前対応の措置は、ＷＴＲＵ、ＷＴＲＵのグループ、またはＷＴＲＵのグループのサブセットにおけるＰＳＭ設定を変更するように構成され得る。
【図面の簡単な説明】
【００１１】
【図１Ａ】１または複数の開示される実施形態が実施され得る例示的な通信システムを示すシステム図である。
【図１Ｂ】図１Ａに示される通信システム内で使用され得る例示的なワイヤレス送信／受信ユニット（ＷＴＲＵ）を示すシステム図である。
【図１Ｃ】図１Ａに示される通信システム内で使用され得る例示的な無線アクセスネットワークおよび例示的なコアネットワークを示すシステム図である。
【図１Ｄ】図１Ａに示される通信システム内で使用され得る例示的な無線アクセスネットワークおよび例示的なコアネットワークを示すシステム図である。
【図１Ｅ】図１Ａに示される通信システム内で使用され得る例示的な無線アクセスネットワークおよび例示的なコアネットワークを示すシステム図である。
【図１Ｆ】識別子のグループをブロックすることがアクティブ化される場合のアタッチ要求手順の例を示す流れ図である。
【図２】本明細書における１または複数の例による３ＧＰＰセルラーネットワークのアプリケーション層、およびアプリケーションサーバと通信するために構成されたインターフェース（例えば、ＩＷＦ／ＳＣＥＦ）および方法の例を示す流れ図である。
【図３】本明細書における１または複数の例による３ＧＰＰセルラーネットワークのアプリケーション層、およびアプリケーションサーバと通信するために構成されたインターフェース（例えば、ＩＷＦ／ＳＣＥＦ）および方法の例を示す流れ図である。
【図４】コアネットワークのアプリケーション層、およびアプリケーションサーバと通信するように構成されたインターフェースの例を示す図である。
【発明を実施するための形態】
【００１２】
システムおよび／または方法が、ネットワーク輻輳および／または電力消費を管理するようにアプリケーションサーバに提供さることが可能である。
【００１３】
図１Ａは、１または複数の開示される実施形態（例えば、アプリケーションサーバおよび／またはネットワーク構成要素もしくはネットワーク要素を使用して省電力化モード（ＰＳＭ）などの電力消費および／またはネットワーク輻輳を管理するための）が実施され得る例示的な通信システム１００の図である。通信システム１００は、複数のワイヤレスユーザに音声、データ、ビデオ、メッセージング、ブロードキャストその他などのコンテンツを提供する多元接続システムであり得る。通信システム１００は、複数のワイヤレスユーザが、ワイヤレス帯域幅を含むシステムリソースを共有することを介してそのようなコンテンツにアクセスすることを可能にし得る。例えば、通信システム１００は、符号分割多元接続（ＣＤＭＡ）、時分割多元接続（ＴＤＭＡ）、周波数分割多元接続（ＴＤＭＡ）、直交ＦＤＭＡ（ＯＦＤＭＡ）、シングルキャリアＦＤＭＡ（ＳＣ−ＦＤＭＡ）、および類似したものなどの１または複数のチャネルアクセス方法を使用することが可能である。
【００１４】
図１Ａに示されるとおり、通信システム１００は、複数のＷＴＲＵ、例えば、ＷＴＲＵ１０２ａ、１０２ｂ、１０２ｃ、および１０２ｄなどの少なくとも１つのワイヤレス送信／受信ユニット（ＷＴＲＵ）と、無線アクセスネットワーク（ＲＡＮ）１０４と、コアネットワーク１０６と、公衆交換電話ネットワーク（ＰＳＴＮ）１０８と、インターネット１１０と、他のネットワーク１１２とを含むことが可能であり、ただし、開示される実施形態は、任意の数のＷＴＲＵ、基地局、ネットワーク、および／またはネットワーク要素を企図することを認識されたい。ＷＴＲＵ１０２ａ、１０２ｂ、１０２ｃ、および１０２ｄのそれぞれは、ワイヤレス環境において動作するように、かつ／または通信するように構成された任意のタイプのデバイスであり得る。例として、ＷＴＲＵ１０２ａ、１０２ｂ、１０２ｃ、１０２ｄは、ワイヤレス信号を送信するように、かつ／または受信するように構成されることが可能であり、ユーザ機器（ＵＥ）、移動局、固定加入者ユニットもしくはモバイル加入者ユニット、ポケットベル、セルラー電話、携帯情報端末（ＰＤＡ）、スマートフォン、ラップトップ、ネットブック、パーソナルコンピュータ、ワイヤレスセンサ、家庭用電子機器、および類似したものを含むことが可能である。
【００１５】
通信システム１００は、基地局１１４ａおよび基地局１１４ｂを含むことも可能である。基地局１１４ａ、１１４ｂのそれぞれは、コアネットワーク１０６、インターネット１１０、および／またはネットワーク１１２などの１または複数の通信ネットワークに対するアクセスを円滑にするようにＷＴＲＵ１０２ａ、１０２ｂ、１０２ｃ、１０２ｄのうちの少なくとも１つとワイヤレスでインターフェースをとるように構成された任意のタイプのデバイスであり得る。例として、基地局１１４ａ、１１４ｂは、基地局トランシーバ（ＢＴＳ）、ノードＢ、ｅノードＢ、ホームノードＢ、ホームｅノードＢ、サイトコントローラ、アクセスポイント（ＡＰ）、ワイヤレスルータ、および類似したものであり得る。基地局１１４ａ、１１４ｂはそれぞれ、単一の要素として示されるが、基地局１１４ａ、１１４ｂは、任意の数の互いに接続された基地局および／またはネットワーク要素を含み得ることを認識されたい。
【００１６】
基地局１１４ａは、ＲＡＮ１０４の一部であることが可能であり、ＲＡＮ１０４は、基地局コントローラ（ＢＳＣ）、無線ネットワークコントローラ（ＲＮＣ）、中継ノードその他などの他の基地局および／またはネットワーク要素（図示せず）を含むことも可能である。基地局１１４ａおよび／または基地局１１４ｂは、セル（図示せず）と呼ばれ得る、特定の地理的区域内でワイヤレス信号を送信するように、かつ／または受信するように構成され得る。セルは、セルセクタにさらに分割され得る。例えば、基地局１１４ａに関連付けられたセルが、３つのセクタに分割され得る。このため、一実施形態において、基地局１１４ａは、例えば、セルの各セクタに関して１つずつ、３つのトランシーバを含むことが可能である。別の実施形態において、基地局１１４ａは、多入力多出力（ＭＩＭＯ）技術を使用することが可能であり、したがって、セルの各セクタに関して複数のトランシーバを利用することが可能である。
【００１７】
基地局１１４ａ、１１４ｂは、任意の適切なワイヤレス通信リンク（例えば、無線周波数（ＲＦ）、マイクロ波、赤外線（ＩＲ）、紫外線（ＵＶ）、可視光その他）であることが可能な無線インターフェース１１６を介してＷＴＲＵ１０２ａ、１０２ｂ、１０２ｃ、１０２ｄのうちの１または複数と通信することが可能である。無線インターフェース１１６は、任意の適切な無線アクセス技術（ＲＡＴ）を使用して確立され得る。
【００１８】
より詳細には、前述したとおり、通信システム１００は、多元接続システムであることが可能であり、ＣＤＭＡ、ＴＤＭＡ、ＦＤＭＡ、ＯＦＤＭＡ、ＳＣ−ＦＤＭＡ、および類似したものなどの１または複数のチャネルアクセススキームを使用することが可能である。例えば、ＲＡＮ１０４における基地局１１４ａ、およびＷＴＲＵ１０２ａ、１０２ｂ、１０２ｃは、広帯域ＣＤＭＡ（ＷＣＤＭＡ：登録商標）を使用して無線インターフェース１１６を確立することが可能なＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）  Ｔｅｒｒｅｓｔｒｉａｌ  Ｒａｄｉｏ  Ａｃｃｅｓｓ（ＵＴＲＡ）などの無線技術を実施することが可能である。ＷＣＤＭＡは、Ｈｉｇｈ−Ｓｐｅｅｄ  Ｐａｃｋｅｔ  Ａｃｃｅｓｓ（ＨＳＰＡ）および／またはＥｖｏｌｖｅｄ  ＨＳＰＡ（ＨＳＰＡ＋）などの通信プロトコルを含み得る。ＨＳＰＡは、Ｈｉｇｈ−Ｓｐｅｅｄ  Ｄｏｗｎｌｉｎｋ  Ｐａｃｋｅｔ  Ａｃｃｅｓｓ（ＨＳＤＰＡ）および／またはＨｉｇｈ−Ｓｐｅｅｄ  Ｕｐｌｉｎｋ  Ｐａｃｋｅｔ  Ａｃｃｅｓｓ（ＨＳＵＰＡ）を含み得る。
【００１９】
別の実施形態において、基地局１１４ａ、およびＷＴＲＵ１０２ａ、１０２ｂ、１０２ｃが、Ｌｏｎｇ  Ｔｅｒｍ  Ｅｖｏｌｕｔｉｏｎ（ＬＴＥ）および／またはＬＴＥ−Ａｄｖａｎｃｅｄ（ＬＴＥ−Ａ）を使用して無線インターフェース１１６を確立することが可能な、Ｅｖｏｌｖｅｄ  ＵＭＴＳ  Ｔｅｒｒｅｓｔｒｉａｌ  Ｒａｄｉｏ  Ａｃｃｅｓｓ（Ｅ−ＵＴＲＡ）などの無線技術を実施することが可能である。
【００２０】
他の実施形態において、基地局１１４ａ、およびＷＴＲＵ１０２ａ、１０２ｂ、１０２ｃが、ＩＥＥＥ８０２．１６（例えば、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ））、ＣＤＭＡ２０００、ＣＤＭＡ２０００  １Ｘ、ＣＤＭＡ２０００  ＥＶ−ＤＯ、Ｉｎｔｅｒｉｍ  Ｓｔａｎｄａｒｄ  ２０００（ＩＳ−２０００）、Ｉｎｔｅｒｉｍ  Ｓｔａｎｄａｒｄ  ９５（ＩＳ−９５）、Ｉｎｔｅｒｉｍ  Ｓｔａｎｄａｒｄ  ８５６（ＩＳ−８５６）、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ：登録商標）、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）、ＧＳＭ  ＥＤＧＥ（ＧＥＲＡＮ）、および類似したものなどの無線技術を実施することが可能である。
【００２１】
図１Ａにおける基地局１１４ｂは、例えば、ワイヤレスルータ、ホームノードＢ、ホームｅノードＢ、またはアクセスポイントであることが可能であり、ビジネスの場所、自宅、車両、キャンパス、または類似した場所などの局所化された区域におけるワイヤレス接続を円滑にするための任意の適切なＲＡＴを利用することが可能である。一実施形態において、基地局１１４ｂ、およびＷＴＲＵ１０２ｃ、１０２ｄが、ＩＥＥＥ８０２．１１などの無線技術を実施して、ワイヤレスローカルエリアネットワーク（ＷＬＡＮ）を確立することが可能である。別の実施形態において、基地局１１４ｂ、およびＷＴＲＵ１０２ｃ、１０２ｄが、ＩＥＥＥ８０２．１５などの無線技術を実施して、ワイヤレスパーソナルエリアネットワーク（ＷＰＡＮ）を確立することが可能である。さらに別の実施形態において、基地局１１４ｂ、およびＷＴＲＵ１０２ｃ、１０２ｄが、セルラーベースのＲＡＴ（例えば、ＷＣＤＭＡ、ＣＤＭＡ２０００、ＧＳＭ、ＬＴＥ、ＬＴＥ−Ａその他）を利用して、ピコセルまたはフェムトセルを確立することが可能である。図１Ａに示されるとおり、基地局１１４ｂは、インターネット１１０に対する直接の接続を有することが可能である。このため、基地局１１４ｂは、コアネットワーク１０６経由でインターネット１１０にアクセスすることを要求されない可能性がある。
【００２２】
ＲＡＮ１０４は、コアネットワーク１０６と通信状態にあることが可能であり、コアネットワーク１０６は、ＷＴＲＵ１０２ａ、１０２ｂ、１０２ｃ、および１０２ｄのうちの１または複数に音声サービス、データサービス、アプリケーションサービス、および／またはボイスオーバインターネットプロトコル（ＶｏＩＰ）サービスを提供するように構成された任意のタイプのネットワークであり得る。例えば、コアネットワーク１０６は、呼制御、料金請求サービス、モバイル位置ベースのサービス、プリペイド通話、インターネット接続、ビデオ配信その他を提供すること、および／またはユーザ認証などの高レベルセキュリティ機能を実行することが可能である。図１Ａには示されないものの、ＲＡＮ１０４および／またはコアネットワーク１０６は、ＲＡＮ１０４と同一のＲＡＴ、または異なるＲＡＴを使用する他のＲＡＮと直接または間接の通信状態にあることが可能であることを認識されたい。例えば、Ｅ−ＵＴＲＡ無線技術を利用することが可能なＲＡＮ１０４に接続されることに加えて、コアネットワーク１０６は、ＧＳＭ無線技術を使用する別のＲＡＮ（図示せず）と通信状態にあることも可能である。
【００２３】
コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするゲートウェイの役割をすることも可能である。ＰＳＴＮ１０８は、普通の従来の電話サービス（ＰＯＴＳ）を提供する回線交換電話ネットワークを含み得る。インターネット１１０は、ＴＣＰ／ＩＰインターネットプロトコルスイートにおける伝送制御プロトコル（ＴＣＰ）、ユーザデータグラムプロトコル（ＵＤＰ）、インターネットプロトコル（ＩＰ）などの一般的な通信プロトコルを使用する互いに接続されたコンピュータネットワークおよびコンピュータデバイスの地球規模のシステムを含み得る。ネットワーク１１２は、他のサービスプロバイダによって所有され、かつ／または運用される有線通信ネットワークまたは無線通信ネットワークを含むことが可能である。例えば、ネットワーク１１２は、ＲＡＮ１０４と同一のＲＡＴ、または異なるＲＡＴを使用することが可能な１または複数のＲＡＮに接続された別のコアネットワークを含むことが可能である。
【００２４】
通信システム１００におけるＷＴＲＵ１０２ａ、１０２ｂ、１０２ｃ、１０２ｄのうちのいくつか、またはすべては、マルチモード能力を含むことが可能であり、すなわち、ＷＴＲＵ１０２ａ、１０２ｂ、１０２ｃ、１０２ｄは、異なるワイヤレスリンクを介して異なるワイヤレスネットワークと通信するための複数のトランシーバを含むことが可能である。例えば、図１Ａに示されるＷＴＲＵ１０２ｃが、セルラーベースの無線技術を使用することが可能な基地局１１４ａ、およびＩＥＥＥ８０２無線技術を使用することが可能な基地局１１４ｂと通信するように構成されることが可能である。
【００２５】
図１Ｂは、例示的なＷＴＲＵ１０２のシステム図である。図１Ｂに示されるとおり、ＷＴＲＵ１０２は、プロセッサ１１８と、トランシーバ１２０と、送信／受信要素１２２と、スピーカ／マイクロフォン１２４と、キーパッド１２６と、ディスプレイ／タッチパッド１２８と、非リムーバブルメモリ１３０と、リムーバブルメモリ１３２と、電源１３４と、全地球測位システム（ＧＰＳ）チップセット１３６と、他の周辺装置１３８とを含むことが可能である。ＷＴＲＵ１０２は、実施形態と合致したままでありながら、前述の要素の任意の部分的組合せを含むことが可能であることを認識されたい。
【００２６】
プロセッサ１１８は、汎用プロセッサ、専用プロセッサ、従来のプロセッサ、デジタルシグナルプロセッサ（ＤＳＰ）、複数のマイクロプロセッサ、ＤＳＰコアに関連する１または複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、状態マシン、および類似したものであることが可能である。プロセッサ１１８は、信号符号化、データ処理、電力制御、入出力処理、および／またはＷＴＲＵ１０２がワイヤレス環境において動作することを可能にする他の任意の機能を実行することが可能である。プロセッサ１１８は、送信／受信要素１２２に結合され得るトランシーバ１２０に結合されることが可能である。図１Ｂは、プロセッサ１１８とトランシーバ１２０を別々の構成要素として示すが、プロセッサ１１８とトランシーバ１２０は、電子パッケージまたはチップに一緒に統合されてもよいことを認識されたい。
【００２７】
送信／受信要素１２２は、無線インターフェース１１６を介して基地局（例えば、基地局１１４ａ）に信号を送信するように、または基地局（例えば、基地局１１４ａ）から信号を受信するように構成され得る。例えば、一実施形態において、送信／受信要素１２２は、ＲＦ信号を送信するように、かつ／または受信するように構成されたアンテナであることが可能である。別の実施形態において、送信／受信要素１２２は、例えば、ＩＲ信号、ＵＶ信号、または可視光信号を送信するように、かつ／または受信するように構成されたエミッタ／検出器であることが可能である。さらに別の実施形態において、送信／受信要素１２２は、ＲＦ信号と光信号の両方を送信すること、および受信することを行うように構成され得る。送信／受信要素１２２は、ワイヤレス信号の任意の組合せを送信するように、かつ／または受信するように構成され得ることを認識されたい。
【００２８】
さらに、送信／受信要素１２２は、図１Ｂに単一の要素として示されるものの、ＷＴＲＵ１０２は、任意の数の送信／受信要素１２２を含むことが可能である。より具体的には、ＷＴＲＵ１０２は、ＭＩＭＯ技術を使用することが可能である。このため、一実施形態において、ＷＴＲＵ１０２は、無線インターフェース１１６を介してワイヤレス信号を送信するため、および受信するための２つ以上の送信／受信要素１２２（例えば、複数のアンテナ）を含むことが可能である。
【００２９】
トランシーバ１２０は、送信／受信要素１２２によって送信されるべき信号を変調すること、および送信／受信要素１２２によって受信された信号を復調することを行うように構成され得る。前述したとおり、ＷＴＲＵ１０２は、マルチモード能力を有することが可能である。このため、トランシーバ１２０は、ＷＴＲＵ１０２が、例えば、ＵＴＲＡおよびＩＥＥＥ８０２．１１などの複数のＲＡＴを介して通信することを可能にするための複数のトランシーバを含み得る。
【００３０】
ＷＴＲＵ１０２のプロセッサ１１８は、スピーカ／マイクロフォン１２４、キーパッド１２６、および／またはディスプレイ／タッチパッド１２８（例えば、液晶ディスプレイ（ＬＣＤ）ディスプレイユニットもしくは有機発光ダイオード（ＯＬＥＤ）ディスプレイユニット）に結合されることが可能であり、これらからユーザ入力データを受け取ることが可能である。プロセッサ１１８は、スピーカ／マイクロフォン１２４、キーパッド１２６、および／またはディスプレイ／タッチパッド１２８にユーザデータを出力することも可能である。さらに、プロセッサ１１８は、非リムーバブルメモリ１３０および／またはリムーバブルメモリ１３２などの任意のタイプの適切なメモリからの情報にアクセスすること、およびそのようなメモリにデータを記憶することが可能である。非リムーバブルメモリ１３０は、ランダムアクセスメモリ（ＲＡＭ）、読取り専用メモリ（ＲＯＭ）、ハードディスク、または他の任意のタイプのメモリストレージデバイスを含み得る。リムーバブルメモリ１３２は、加入者識別子モジュール（ＳＩＭ）カード、メモリスティック、セキュアデジタル（ＳＤ）メモリカード、および類似したものを含み得る。他の実施形態において、プロセッサ１１８は、サーバ上、またはホームコンピュータ（図示せず）上などの、ＷＴＲＵ１０２上に物理的に配置されていないメモリからの情報にアクセスすること、およびそのようなメモリにデータを記憶することが可能である。
【００３１】
プロセッサ１１８は、電源１３４から電力を受け取ることが可能であり、ＷＴＲＵ１０２におけるその他の構成要素に配電するように、かつ／またはそのような構成要素に対する電力を制御するように構成され得る。電源１３４は、ＷＴＲＵ１０２に給電するための任意の適切なデバイスであることが可能である。例えば、電源１３４は、１または複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）その他）、太陽電池、燃料電池、および類似したものを含むことが可能である。
【００３２】
プロセッサ１１８は、ＷＴＲＵ１０２の現在の位置に関する位置情報（例えば、経度および緯度）を提供するように構成され得る、ＧＰＳチップセット１３６に結合されることも可能である。ＧＰＳチップセット１３６からの情報に加えて、またはその代わりに、ＷＴＲＵ１０２は、基地局（例えば、基地局１１４ａ、１１４ｂ）から無線インターフェース１１６を介して位置情報を受信すること、および／または２つ以上の近くの基地局から受信されている信号のタイミングに基づいてＷＴＲＵ１０２の位置を特定することが可能である。ＷＴＲＵ１０２は、実施形態と合致したままでありながら、任意の適切な位置特定手順、位置特定プロセス、または位置特定技法によって位置情報を獲得することが可能であることを認識されたい。
【００３３】
プロセッサ１１８は、さらなるフィーチャ、機能、および／または有線接続もしくはワイヤレス接続を提供する１または複数のソフトウェアモジュールおよび／またはハードウェアモジュールを含むことが可能な他の周辺装置１３８にさらに結合され得る。例えば、周辺装置１３８は、加速度計、電子コンパス、衛星トランシーバ、デジタルカメラ（写真またはビデオのための）、ユニバーサルシリアルバス（ＵＳＢ）ポート、振動デバイス、テレビトランシーバ、ハンズフリーハンドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ、および類似したものを含み得る。
【００３４】
図１Ｃは、ＲＡＮ１０４およびコアネットワーク１０６の例示的な実施様態をそれぞれ備えるＲＡＮ１０４ａおよびコアネットワーク１０６ａを含む通信システム１００の実施形態のシステム図である。前述したとおり、ＲＡＮ１０４、例えば、ＲＡＮ１０４ａが、ＵＴＲＡ無線技術を使用して、無線インターフェース１１６を介してＷＴＲＵ１０２ａ、１０２ｂ、１０２ｃと通信することが可能である。ＲＡＮ１０４ａは、コアネットワーク１０６ａと通信状態にあることも可能である。図１Ｃに示されるとおり、ＲＡＮ１０４ａは、無線インターフェース１１６を介してＷＴＲＵ１０２ａ、１０２ｂ、１０２ｃと通信するための１または複数のトランシーバをそれぞれ含み得るノードＢ１４０ａ、１４０ｂ、１４０ｃを含むことが可能である。ノードＢ１４０ａ、１４０ｂ、１４０ｃはそれぞれ、ＲＡＮ１０４ａ内の特定のセル（図示せず）に関連付けられることが可能である。ＲＡＮ１０４ａは、ＲＮＣ１４２ａ、１４２ｂを含むことも可能である。ＲＡＮ１０４ａは、実施形態と合致したままでありながら、任意の数のノードＢおよびＲＮＣを含み得ることを認識されたい。
【００３５】
図１Ｃに示されるとおり、ノードＢ１４０ａ、１４０ｂは、ＲＮＣ１４２ａと通信状態にあることが可能である。さらに、ノードＢ１４０ｃは、ＲＮＣ１４２ｂと通信状態にあることが可能である。ノードＢ１４０ａ、１４０ｂ、１４０ｃは、Ｉｕｂインターフェースを介してそれぞれのＲＮＣ１４２ａ、１４２ｂと通信状態にあることが可能である。ＲＮＣ１４２ａ、１４２ｂは、Ｉｕｒインターフェースを介して互いに通信状態にあることが可能である。ＲＮＣ１４２ａ、１４２ｂのそれぞれは、ＲＮＣ１４２ａ、１４２ｂが接続されるそれぞれのノードＢ１４０ａ、１４０ｂ、１４０ｃを制御するように構成され得る。さらに、ＲＮＣ１４２ａ、１４２ｂのそれぞれは、アウタループ電力制御、負荷制御、受付け制御、パケットスケジューリング、ハンドオーバ制御、マクロダイバーシティ、セキュリティ機能、データ暗号化、および類似したことなどの他の機能を実行するように、またはサポートするように構成され得る。
【００３６】
図１Ｃに示されるコアネットワーク１０６ａは、メディアゲートウェイ（ＭＧＷ）１４４、モバイル交換局（ＭＳＣ）１４６、サービングＧＰＲＳサポートノード（ＳＧＳＮ）１４８、および／またはゲートウェイＧＰＲＳサポートノード（ＧＧＳＮ）１５０を含むことが可能である。前述の要素のそれぞれは、コアネットワーク１０６ａの一部として示されるが、これらの要素のいずれの１つも、コアネットワークオペレータ以外のエンティティによって所有され、かつ／または運用されることが可能であることを認識されたい。
【００３７】
ＲＡＮ１０４ａにおけるＲＮＣ１４２ａは、ＩｕＣＳインターフェースを介してコアネットワーク１０６ａにおけるＭＳＣ１４６に接続され得る。ＭＳＣ１４６は、ＭＧＷ１４４に接続され得る。ＭＳＣ１４６およびＭＧＷ１４４は、ＰＳＴＮ１０８などの回線交換ネットワークに対するアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を円滑にすることが可能である。
【００３８】
ＲＡＮ１０４ａにおけるＲＮＣ１４２ａは、ＩｕＰＳインターフェースを介してコアネットワーク１０６ａにおけるＳＧＳＮ１４８に接続されることも可能である。ＳＧＳＮ１４８は、ＧＧＳＮ１５０に接続され得る。ＳＧＳＮ１４８およびＧＧＳＮ１５０は、インターネット１１０などのパケット交換ネットワークに対するアクセスをＷＴＲＵ１０２ａ、１０２ｂ、１０２ｃに提供して、ＷＴＲＵ１０２ａ、１０２ｂ、１０２ｃとＩＰ対応のデバイスの間の通信を円滑にすることが可能である。
【００３９】
前述したとおり、コアネットワーク１０６ａは、他のサービスプロバイダによって所有される、かつ／または運用される他の有線ネットワークまたはワイヤレスネットワークを含み得るネットワーク１１２に接続されることも可能である。
【００４０】
図１Ｄは、ＲＡＮ１０４およびコアネットワーク１０６の例示的な実施様態をそれぞれ備えるＲＡＮ１０４ｂおよびコアネットワーク１０６ｂを含む通信システム１００の実施形態のシステム図である。前述したとおり、ＲＡＮ１０４、例えば、ＲＡＮ１０４ｂは、Ｅ−ＵＴＲＡ無線技術を使用して、無線インターフェース１１６を介してＷＴＲＵ１０２ａ、１０２ｂ、および１０２ｃと通信することが可能である。ＲＡＮ１０４ｂは、コアネットワーク１０６ｂと通信状態にあることも可能である。
【００４１】
ＲＡＮ１０４ｂは、ｅノードＢ１７０ａ、１７０ｂ、１７０ｃを含むことが可能であり、ただし、ＲＡＮ１０４ｂは、実施形態と合致したままでありながら、任意の数のｅノードＢを含み得ることを認識されたい。ｅノードＢ１７０ａ、１７０ｂ、１７０ｃはそれぞれ、無線インターフェース１１６を介してＷＴＲＵ１０２ａ、１０２ｂ、１０２ｃと通信するための１または複数のトランシーバを含むことが可能である。一実施形態において、ｅノードＢ１７０ａ、１７０ｂ、１７０ｃは、ＭＩＭＯ技術を実施することが可能である。このため、ｅノードＢ１７０ａは、例えば、複数のアンテナを使用して、ＷＴＲＵ１０２ａにワイヤレス信号を送信すること、およびＷＴＲＵ１０２ａからワイヤレス信号を受信することが可能である。
【００４２】
ｅノードＢ１７０ａ、１７０ｂ、１７０ｃのそれぞれは、特定のセル（図示せず）に関連付けられることが可能であり、無線リソース管理決定、ハンドオーバ決定、アップリンクおよび／またはダウンリンクにおけるユーザのスケジューリング、および類似したことを扱うように構成され得る。図１Ｄに示されるとおり、ｅノードＢ１７０ａ、１７０ｂ、１７０ｃは、Ｘ２インターフェースを介して互いに通信することが可能である。
【００４３】
図１Ｄに示されるコアネットワーク１０６ｂは、モビリティ管理ゲートウェイ（ＭＭＥ）１７２と、サービングゲートウェイ１７４と、パケットデータネットワーク（ＰＤＮ）ゲートウェイ１７６とを含むことが可能である。前述の要素のそれぞれは、コアネットワーク１０６ｂの一部として示されるが、これらの要素のいずれの１つも、コアネットワークオペレータ以外のエンティティによって所有され、かつ／または運用されることが可能であることを認識されたい。
【００４４】
ＭＭＥ１７２は、Ｓ１インターフェースを介してＲＡＮ１０４ｂにおけるｅノードＢ１７０ａ、１７０ｂ、１７０ｃのそれぞれに接続されることが可能であり、制御ノードの役割をすることが可能である。例えば、ＭＭＥ１７２は、ＷＴＲＵ１０２ａ、１０２ｂ、１０２ｃのユーザを認証すること、ベアラアクティブ化／非アクティブ化、ＷＴＲＵ１０２ａ、１０２ｂ、１０２ｃの初期アタッチ中に特定のサービングゲートウェイを選択すること、および類似したことを担うことが可能である。ＭＭＥ１７２は、ＲＡＮ１０４ｂと、ＧＳＭまたはＷＣＤＭＡなどの他の無線技術を使用する他のＲＡＮ（図示せず）との間で切り換えるための制御プレーン機能を提供することも可能である。
【００４５】
サービングゲートウェイ１７４が、Ｓ１インターフェースを介してＲＡＮ１０４ｂにおけるｅノードＢ１７０ａ、１７０ｂ、１７０ｃのそれぞれに接続され得る。サービングゲートウェイ１７４は、一般に、ＷＴＲＵ１０２ａ、１０２ｂ、１０２ｃに／からユーザデータパケットをルーティングすること、および転送することを行うことが可能である。サービングゲートウェイ１７４は、ｅノードＢハンドオーバ中にユーザプレーンをアンカすること、ＷＴＲＵ１０２ａ、１０２ｂ、１０２ｃにダウンリンクデータが利用可能である場合にページングをトリガすること、ＷＴＲＵ１０２ａ、１０２ｂ、１０２ｃのコンテキストを管理すること、および記憶すること、および類似したことなどの他の機能を実行することも可能である。
【００４６】
サービングゲートウェイ１７４は、ＰＤＮゲートウェイ１７６に接続されることも可能であり、ＰＤＮゲートウェイ１７６は、インターネット１１０などのパケット交換ネットワークに対するアクセスをＷＴＲＵ１０２ａ、１０２ｂ、１０２ｃに提供して、ＷＴＲＵ１０２ａ、１０２ｂ、１０２ｃとＩＰ対応のデバイスの間の通信を円滑にすることが可能である。
【００４７】
コアネットワーク１０６ｂは、他のネットワークとの通信を円滑にすることが可能である。例えば、コアネットワーク１０６ｂは、ＰＳＴＮ１０８などの回線交換ネットワークに対するアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を円滑にすることが可能である。例えば、コアネットワーク１０６ｂは、コアネットワーク１０６ｂとＰＳＴＮ１０８の間のインターフェースの役割をするＩＰゲートウェイ（例えば、ＩＰマルチメディアサブシステム（ＩＭＳ）サーバ）を含むことが可能であり、またはこのＩＰゲートウェイと通信することが可能である。さらに、コアネットワーク１０６ｂは、他のサービスプロバイダによって所有され、かつ／または運用される他の有線ネットワークまたはワイヤレスネットワークを含み得るネットワーク１１２に対するアクセスをＷＴＲＵ１０２ａ、１０２ｂ、１０２ｃに提供することが可能である。
【００４８】
図１Ｅは、ＲＡＮ１０４およびコアネットワーク１０６の例示的な実施様態をそれぞれ備えるＲＡＮ１０４ｃおよびコアネットワーク１０６ｃを含む通信システム１００の実施形態のシステム図である。ＲＡＮ１０４、例えば、ＲＡＮ１０４ｃは、ＩＥＥＥ８０２．１６無線技術を使用して、無線インターフェース１１６を介してＷＴＲＵ１０２ａ、１０２ｂ、１０２ｃと通信するアクセスサービスネットワーク（ＡＳＮ）であることが可能である。本明細書で説明されるとおり、ＷＴＲＵ１０２ａ、１０２ｂ、１０２ｃ、ＲＡＮ１０４ｃ、およびコアネットワーク１０６ｃの様々な機能エンティティの間の通信リンクは、参照ポイントとして定義され得る。
【００４９】
図１Ｅに示されるとおり、ＲＡＮ１０４ｃは、基地局１８０ａ、１８０ｂ、１８０ｃと、ＡＳＮゲートウェイ１８２とを含むことが可能であり、ただし、ＲＡＮ１０４ｃは、実施形態と合致したままでありながら、任意の数の基地局およびＡＳＮゲートウェイを含み得ることを認識されたい。基地局１８０ａ、１８０ｂ、１８０ｃはそれぞれ、ＲＡＮ１０４ｃ内の特定のセル（図示せず）に関連付けられることが可能であり、それぞれ、無線インターフェース１１６を介してＷＴＲＵ１０２ａ、１０２ｂ、１０２ｃと通信するための１または複数のトランシーバを含むことが可能である。一実施形態において、基地局１８０ａ、１８０ｂ、１８０ｃは、ＭＩＭＯ技術を実施することが可能である。このため、基地局１８０ａは、複数のアンテナを使用して、ＷＴＲＵ１０２ａにワイヤレス信号を送信すること、およびＷＴＲＵ１０２ａからワイヤレス信号を受信することが可能である。基地局１８０ａ、１８０ｂ、１８０ｃは、ハンドオフトリガ、トンネル確立、無線リソース管理、トラフィック分類、サービス品質（ＱｏＳ）ポリシー執行、および類似したことなどのモビリティ管理機能を提供することも可能である。ＡＳＮゲートウェイ１８２は、トラフィック集約ポイントの役割をすることが可能であり、ページング、加入者プロファイルのキャッシング、コアネットワーク１０６ｃに対するルーティング、および類似したことを担うことが可能である。
【００５０】
ＷＴＲＵ１０２ａ、１０２ｂ、１０２ｃとＲＡＮ１０４ｃの間の無線インターフェース１１６は、ＩＥＥＥ８０２．１６規格を実施するＲ１参照ポイントとして定義され得る。さらに、ＷＴＲＵ１０２ａ、１０２ｂ、１０２ｃのそれぞれが、コアネットワーク１０６ｃを相手に論理インターフェース（図示せず）を確立することが可能である。ＷＴＲＵ１０２ａ、１０２ｂ、１０２ｃとコアネットワーク１０６ｃの間の論理インターフェースは、認証、許可、ＩＰホスト構成環境、および／またはモビリティ管理のために使用され得るＲ２参照ポイントとして定義されることが可能である。
【００５１】
基地局１８０ａ、１８０ｂ、１８０ｃのそれぞれの間の通信リンクは、ＷＴＲＵハンドオーバ、および基地局間のデータの転送を円滑にするためのプロトコルを含むＲ８参照ポイントとして定義され得る。基地局１８０ａ、１８０ｂ、１８０ｃとＡＳＮゲートウェイ１８２の間の通信リンクは、Ｒ６参照ポイントとして定義され得る。Ｒ６参照ポイントは、ＷＴＲＵ１０２ａ、１０２ｂ、１０２ｃのそれぞれに関連付けられたモビリティイベントに基づいてモビリティ管理を円滑にするためのプロトコルを含むことが可能である。
【００５２】
図１Ｅに示されるとおり、ＲＡＮ１０４ｃは、コアネットワーク１０６ｃに接続され得る。ＲＡＮ１０４ｃとコアネットワーク１０６ｃの間の通信リンクは、例えば、データ転送能力およびモビリティ管理能力を円滑にするためのプロトコルを含むＲ３参照ポイントとして定義され得る。コアネットワーク１０６ｃは、モバイルＩＰホームエージェント（ＭＩＰ−ＨＡ）１８４と、認証−許可−アカウンティング（ＡＡＡ）サーバ１８６と、ゲートウェイ１８８とを含むことが可能である。前述の要素のそれぞれは、コアネットワーク１０６ｃの一部として示されるが、これらの要素のうちのいずれの１つも、コアネットワークオペレータ以外のエンティティによって所有され、かつ／または運用されることが可能であることを認識されたい。
【００５３】
ＭＩＰ−ＨＡ１８４は、ＩＰアドレス管理を担うことが可能であり、ＷＴＲＵ１０２ａ、１０２ｂ、１０２ｃが、異なるＡＳＮおよび／または異なるコアネットワークの間でローミングすることを可能にし得る。ＭＩＰ−ＨＡ１８４は、インターネット１１０などのパケット交換ネットワークに対するアクセスをＷＴＲＵ１０２ａ、１０２ｂ、１０２ｃに提供して、ＷＴＲＵ１０２ａ、１０２ｂ、１０２ｃとＩＰ対応のデバイスの間の通信を円滑にすることが可能である。ＡＡＡサーバ１８６は、ユーザ認証を担うこと、およびユーザサービスをサポートすることを担うことが可能である。ゲートウェイ１８８は、他のネットワークとのインターワーキングを円滑にすることが可能である。例えば、ゲートウェイ１８８は、ＰＳＴＮ１０８などの回線交換ネットワークに対するアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を円滑にすることが可能である。さらに、ゲートウェイ１８８は、他のサービスプロバイダによって所有され、かつ／または運用される他の有線ネットワークまたはワイヤレスネットワークを含み得るネットワーク１１２に対するアクセスをＷＴＲＵ１０２ａ、１０２ｂ、１０２ｃに提供することが可能である。
【００５４】
図１Ｅには示されないものの、ＲＡＮ１０４ｃは、他のＡＳＮに接続されることが可能であり、コアネットワーク１０６ｃは、他のコアネットワークに接続されることが可能であることを認識されたい。ＲＡＮ１０４ｃとその他のＡＳＮの間の通信リンクは、ＲＡＮ１０４ｃとその他のＡＳＮの間でＷＴＲＵ１０２ａ、１０２ｂ、１０２ｃのモビリティを調整するためのプロトコルを含み得るＲ４参照ポイントとして定義されることが可能である。コアネットワーク１０６ｃとその他のコアネットワークの間の通信リンクは、ホームコアネットワークと移動先コアネットワークの間のインターワーキングを円滑にするためのプロトコルを含み得るＲ５参照ポイントとして定義され得る。
【００５５】
本明細書で説明される１または複数の例は、例えば、省電力化モード（ＰＳＭ）をアクティブ化すること、および／もしくは非アクティブ化することを含むデバイス（例えば、ネットワークにおける、もしくはネットワークに関連付けられた）の到達可能性を管理することなどの電力管理、ならびに／または輻輳を制御することを含む、ネットワークにおける通信（例えば、マシンタイプ通信（ＭＴＣ））のための装置、機能、手順、プロセス、コンピュータ可読メモリを有形で具現化するコンピュータプログラム命令の実行、および通信のための技法の動作を与えることが可能である。
【００５６】
例えば、ＷＴＲＵ（例えば、少なくとも１つのデバイスもしくはＷＴＲＵ）などのデバイス、デバイスもしくはＷＴＲＵのグループ、またはデバイスもしくはＷＴＲＵのグループのサブセットにおいて省電力化モード（ＰＳＭ）機能を提供するため、もしくはトリガするための例示的な方法、手順、機構、および技法が提供され、説明されることが可能である。例において、ＰＳＭは、１または複数の所定のＰＳＭ設定を設定するアプリケーション層要求などの要求またはメッセージに応答して提供されること、またはトリガされること（例えば、アクティブ化されること、および／または非アクティブ化されること）が可能であり、例えば、その要求またはメッセージ（例えば、トリガ）は、１または複数のアプリケーションサーバ（ＡＳ）を起点として、コアネットワーク（例えば、セルラーネットワーク、もしくは本明細書で説明されるネットワーク１００）に向けられることが可能である。例えば、アプリケーションサーバが、ＰＳＭ機能をイネーブルにすること、およびディセーブルにすることを要求することを可能にするために構成されたインターフェースが、ＡＰとコアネットワークの間で提供され得、要求もしくはメッセージをもたらすのに使用され得る。
【００５７】
さらに、本明細書で説明されるとおり、現在、例えば、ＡＳがデバイスもしくはＷＴＲＵ、デバイスもしくはＷＴＲＵのグループ、またはデバイスもしくはＷＴＲＵのグループのサブセットを省電力化モードに強制的に入れること、もしくは入れること、またはデバイスもしくはＷＴＲＵを防止することを可能にするための手順もしくは技法が欠如している可能性がある。本明細書で説明される例示的な方法、手順、機構、および技法は、ＡＳがデバイスもしくはＷＴＲＵを省電力化モードに入れること、および／またはデバイスもしくはＷＴＲＵが省電力化モードに入ること、もしくはなることを防止するそのような能力をもたらすことが可能である。
【００５８】
さらに、輻輳を制御するための例示的な方法、手順、機構、および技法が説明される。マシンタイプ通信（ＭＴＣ）が、アプリケーションサーバとコアネットワークの間に配置されたインターフェースを定義することによってアプリケーションサーバにアプリケーション層サポートを提供するように構成され得る。インターフェースは、アプリケーションサーバが、少なくとも１つのワイヤレス送信／受信ユニット、ＷＴＲＵのグループ、またはＷＴＲＵのグループのサブセットの間で１または複数の規則および／または機能の執行を要求することを可能にするために構成され得る。
【００５９】
本明細書における例において、グループベースの輻輳制御を執行することに関して、アプリケーションサーバ（ＡＳ）と３ＧＰＰ（例えば、Ｌｏｎｇ  Ｔｅｒｍ  Ｅｖｏｌｕｔｉｏｎ（ＬＴＥ）、ＬＴＥ−Ａｄｖａｎｃｅ、Ｇｌｏｂａｌ  Ｓｙｓｔｅｍ  ｆｏｒ  Ｍｏｂｉｌｅ  Ｃｏｍｍｕｎｉｃａｔｉｏｎｓ  Ｒａｄｉｏ  Ａｃｃｅｓｓ  Ｎｅｔｗｏｒｋ（ＧＥＲＡＮ）、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）、ＧＳＭ  ＥＤＧＥ（ＧＥＲＡＮ）、および類似したもの）によって指定されるネットワークなどのコアネットワーク（例えば、セルラーネットワーク）の間でアプリケーション層対話を可能にする手順または技法が欠如している可能性がある。例えば、現在、ＡＳが、ＷＴＲＵ（例えば、もしくはデバイス）、またはＷＴＲＵのグループ、またはＷＴＲＵ（例えば、もしくはデバイス）のグループのサブセットがＡＳからサービスを獲得する試みをバックオフすることを要求することを可能にする手順または技法が欠如している可能性がある。同様に、ＡＳが、ＷＴＲＵ、またはＷＴＲＵのグループ、またはＷＴＲＵのグループのサブセットがＡＳからサービスを獲得することを再開するのを要求することを可能にする手順または技法が欠如している可能性がある。本明細書で説明される例示的な方法、手順、機構、および技法は、ＡＳが、デバイスもしくはＷＴＲＵがＡＳからサービスを獲得する試みをバックオフするよう、かつ／またはＡＳからのサービスを要求するよう、もしくは獲得するよう要求するそのような能力をもたらすことが可能である。
【００６０】
本明細書における例によれば、グループベースの輻輳を執行する規則および／またはポリシーが使用されることが可能である。（例として、例えば、第３世代パートナーシッププログラム（３ＧＰＰ）によって定義されるとおり）。１または複数のＷＴＲＵ（例えば、デバイスもしくはＷＴＲＵ）、またはＷＴＲＵのグループの間の輻輳制御が、３ＧＰＰによって指定されるネットワークなどの高度なセルラーネットワークにおいて制御プレーンにおける、またはユーザプレーンにおけるいくつかの層で実施されることが可能である。しかし、そのようなグループベースの輻輳３ＧＰＰ提案は、アプリケーションサーバ（ＡＳ）と３ＧＰＰセルラーネットワークの間の対話を可能にする機能を提供していない。例えば、本明細書で説明されるとおり、ＡＳが３ＧＰＰセルラーネットワークと対話して、サービス利用不能またはサービス再開についてそれに知らせることを可能にして、そのことが、セルラーネットワークによって、バックオフ機構を執行するのに、またはバックオフ機構を終了させるのにそれぞれ使用され得る方法（例えば、手順、技法、または機構）が、提供されることが可能である。
【００６１】
輻輳制御は、アプリケーションサーバ（ＡＳ）（例えば、マシンタイプ通信（ＭＴＣ）のために構成されたＷＴＲＵのグループのためのサービスプロバイダ）が一時的にダウンしており、特定のサービスがＷＴＲＵ（例えば、またはデバイス）に利用不能になっている可能性がある例またはシナリオにおいて利用され得る。より具体的には、そのような輻輳制御例において、ＷＴＲＵ、またはＷＴＲＵのグループが、一時的にダウンしているＡＳからサービスを獲得するように展開されている可能性があり、または一時的にダウンしているＡＳにデータを送信するように構成されている可能性がある。例えば、複数のＷＴＲＵ（例えば、企業によって展開される）を含む可能性があり、かつ各ＷＴＲＵが、ＡＳを相手に接続を確立する目的でシステムにアクセスしようと試みる可能性がある（例えば、サービスが一時的に利用可能でないという知識なしに）ように構成されている可能性がある計測システム。利用不能の事象は、ＷＴＲＵ、またはＷＴＲＵのグループに知られていない可能性があるので、ＷＴＲＵは、ＡＳを相手に接続を確立することに成功することを望んで、ＡＳにアクセスする数回の無駄な再試行を行う可能性がある。しかし、そうすることによって、ＷＴＲＵ、またはＷＴＲＵのグループ（例えば、グループは、数百、数千、および／またはそのような類のＷＴＲＵを含み得る）が、システムに向けられることが可能なシグナリングを不必要に送信する可能性がある。そのようなシグナリングは、システムにおける輻輳をもたらし得る。例において、前述のシナリオにおいて輻輳制御を適用することが、例えば、ＷＴＲＵのための、かつ／またはＷＴＲＵの間のシグナリングを回避することが可能であり、このことが、結果として、そのＷＴＲＵ、またはそれらのＷＴＲＵの電力消費を低減することが可能であり、ネットワーク容量を低下させることを回避することが可能であり、ネットワークにおける干渉の潜在的な源を減らすことが可能であり、かつ／または類似したことが可能である。
【００６２】
図１Ｆは、運用−管理−メンテナンス（ＯＡＭ）または運用＆メンテナンス（Ｏ＆Ｍ）におけるオペレータによって設定されたＷＴＲＵベースのポリシーもしくはグループベースのポリシーなどのポリシーによってセルラーネットワークなどのネットワークに導入される輻輳制御の説明的な例を与える。すなわち、例えば、通常のサービスに関するＡＳの利用可能性と関係する情報、またはＡＳが通常のサービスを提供することを再開した（例えば、サーバが一時的に利用できない、またはサービスが再開した）ことを示す情報を提供することが可能なグループベースのポリシーなどのポリシー。グループベースのポリシーなどのＯＡＭポリシーまたはＯ＆Ｍポリシーが、例えば、モビリティ管理エンティティ（ＭＭＥ）（例えば、０において示される）、サービング汎用パケット無線サービス（ＧＰＲＳ）サポートノード（ＳＧＳＮ）（図示せず）、またはモバイル交換局（ＭＳＣ）ビジタロケーションレジスタ（ＶＬＲ）（図示せず）、および／または類似したものなどのＥｖｏｌｖｅｄ  Ｐａｃｋｅｔ  Ｃｏｒｅ（ＥＰＣ）においてコアネットワーク要素に利用可能にされ得る。グループベースのポリシーなどのポリシーが、図１Ｆに示されるとおり、各ＷＴＲＵがシステムにアクセスしようと試みると（例えば、「アタッチ要求」中に）、ＷＴＲＵ、ＷＴＲＵのグループ、またはＷＴＲＵのグループのサブセットなどのデバイスまたはＷＴＲＵまたはＵＥの上で実施されるように構成され得る。そのような例において、ＭＭＥ１５は、ＷＴＲＵが、グループベースのポリシーなどのポリシーにおけるＯＡＭまたはＯ＆Ｍによって指定される（例えば、グループ識別子によって）「阻止される」グループの一部であり得るかどうかを判定することが可能である。はいである（例えば、ＷＴＲＵが、「ブロックされる」グループの一部であり得る）場合、ＭＭＥは、バックオフ（ＢＯ）するようＷＴＲＵに知らせることが可能である。例えば、ＭＭＥは、特定のグループ識別子を有するＷＴＲＵに関してＥｖｏｌｖｅｄ  Ｐａｃｋｅｔ  Ｓｙｓｔｅｍ（ＥＰＳ）モビリティ管理（ＥＭＭ）シグナリングを阻止することを内部でアクティブ化することが可能である。やはり図１Ｆに示されるとおり、阻止することがアクティブ化され得る場合、ＭＭＥは、モビリティ管理バックオフタイマを含むアタッチ拒否をＷＴＲＵに送信すること（例えば、ｅノードＢを介して示されるとおり）も可能である（例えば、４ａ〜４ｃにおいて）。ＭＭＥは、将来のアタッチ要求の場合にＷＴＲＵのコンテキストを再びダウンロードすることを回避するためにＷＴＲＵのコンテキストを記憶するように構成され得る。さらに、図１Ｆに示されるとおり、ＷＴＲＵのコンテキストが利用可能でない場合、ＭＭＥは、コアネットワークにおけるＨＳＳに位置更新要求（ＵＬＲ）を送信することが可能であり、ＨＳＳは、ＭＭＥに位置更新応答（ＵＬＡ）を応答すること、または送信することが可能である。
【００６３】
本明細書における例により、ＷＴＲＵ、グループのＷＴＲＵ、ＷＴＲＵのグループのサブセットが、３ＧＰＰセルラーネットワークのアプリケーション層とアプリケーションサーバ（ＡＳ）の間で対話するように構成され得る。ＡＳが、ネットワークにおける１つのＷＴＲＵ、または１または複数の輻輳軽減のための手順および技法を提供するように構成され得る。例えば、ネットワークノードが、ネットワーク（例えば、３ＧＰＰセルラーネットワーク）とアプリケーションサーバ（ＡＳ）の間で対話して、輻輳軽減のための手順および技法を提供するように構成され得る。ネットワークとＡＳの間でインターフェースが構成されて、そのインターフェースが、ＷＴＲＵ、ＷＴＲＵのグループ、またはＷＴＲＵのグループのサブセットの輻輳制御を適用する、または輻輳制御を終了させる要求を伝送するように使用され得るように、または提供され得るようにすることが可能である。例によれば、インターフェースは、ネットワークもしくはネットワークの１または複数の構成要素とＡＳの間のミドルノード、中間ノード、ゲートウェイ機能であることが可能であり、かつ／またはネットワークおよび／またはネットワークの１または複数の構成要素とＡＳの間で直接のインターフェースが構成されることが可能である。例えば、インターフェースは、ネットワーク（例えば、ネットワークのコアネットワークもしくは構成要素）とＡＳの間に配置され得る機能（例えば、Ｓｅｒｖｉｃｅ  Ｃａｐａｂｉｌｉｔｙ  Ｅｘｐｏｓｕｒｅ  Ｆｕｎｃｔｉｏｎ（ＳＣＥＦ）および／またはインターワーキング機能（ＩＷＦ））などの中間ノードであり得る。例において、インターフェースは、インターネットプロトコル（ＩＰ）インターフェースであることが可能である。インターフェース（例えば、ＩＷＦおよび／またはＳＣＥＦおよび／または類似したもの）は、本明細書で説明されるとおり、ＡＳから要求があると、かつ／または省電力化モードがイネーブルにされること、および／またはディセーブルにされることがあると、かつ／またはＡＳによってＷＴＲＵに関する電力設定が制御されると、特定のＷＴＲＵ、またはＷＴＲＵのグループに適用可能であり得る輻輳制御（例えば、バックオフ（ＢＯ）方法、ＢＯ機構、および／または類似したもの）を適用するように構成され得る。
【００６４】
図２は、３ＧＰＰセルラーネットワークのアプリケーション層、およびアプリケーションサーバと通信するために構成され得るインターワーキング機能（ＩＷＦ）および／またはＳｅｒｖｉｃｅ  Ｃａｐａｂｉｌｉｔｙ  Ｅｘｐｏｓｕｒｅ  Ｆｕｎｃｔｉｏｎ（ＳＣＥＦ）および／またはインターフェース２２０および／または方法２００の例の流れ図を示す。図２に示されるとおり、ネットワークにおけるＷＴＲＵに一般的なサービスまたは特定のサービスを提供するようにネットワークオペレータから契約を獲得するサードパーティ企業によって提供される１または複数のアプリケーションサーバネットワーク（ＡＰＮ）であり得るアプリケーションサーバ（ＡＳ）２１０が、提供されることが可能である。ＡＳ２１０は、ＩＷＦ／ＳＣＥＦ／インターフェース２２０によってＥｖｏｌｖｅｄ  Ｐａｃｋｅｔ  Ｃｏｒｅ（ＥＰＣ）ネットワークなどのコアネットワークのアプリケーション層と通信することが可能であるように配置され得る。ＩＷＦ／ＳＣＥＦ／インターフェース２２０は、接続またはインターフェースを介してホーム加入者サービス（ＨＳＳ）および／またはホームロケーションレジストリ（ＨＬＲ）２３０と通信するように構成されることが可能であり、かつ／または通信することが可能である（例えば、通信状態にあることが可能である）。図示されるとおり、例において、ＨＳＳ／ＨＬＲ２３０は、サービング汎用パケット無線サービス（ＧＰＲＳ）サポートノード（ＳＧＳＮ）またはモビリティ管理エンティティ（ＭＭＥ）および／またはモバイル交換局（ＭＳＣ）２４０および／またはビジタロケーションレジスタ（ＶＬＲ）（図示せず）と通信するようにさらに構成され得る。ＭＭＥまたはＳＧＳＮ２４０は、ＷＴＲＵまたはデバイス２５０（例えば、１または複数のＷＴＲＵ）のためにサービングノードの役割をするように構成され得る。例において、ＩＷＦ２２０が、ＳＧＳＮ／ＭＭＥ２４０と直接にインターフェースをとることが可能である。
【００６５】
図４は、コアネットワーク（例えば、ＨＳＳ／ＨＬＲ、ＳＧＳＮ／ＭＭＥ、ＶＬＲ、および／または類似したもの、および／またはコアネットワークのアプリケーション層）、およびＡＳ２１０（図２に示される）などのアプリケーションサーバと通信するように構成されたインターフェース３２０の例である。図４に示されるとおり、ＡＳ３１０は、インターフェースまたは接続３２０によってＥｖｏｌｖｅｄ  Ｐａｃｋｅｔ  Ｃｏｒｅ（ＥＰＣ）ネットワークなどのコアネットワーク３３０のアプリケーション層と通信することが可能であるように配置され得る。
【００６６】
図示されるとおり（例えば、図２に）、ＡＳ（例えば、２１０および／または３１０）は、特定のＷＴＲＵ、ＷＴＲＵのグループ、またはＷＴＲＵのグループのサブセットに輻輳制御を適用する要求を送信するように構成されることが可能であり、かつ／または送信することが可能である（例えば、２１において）。ＡＳは、Ｅｖｏｌｖｅｄ  Ｐａｃｋｅｔ  Ｃｏｒｅなどのコアネットワークに配置されたコアネットワークエンティティ（例えば、図３に示されるインターフェースまたは接続を介して）に、輻輳制御を求める要求と一緒に、複数のバックオフパラメータを送信するように構成されることが可能であり、かつ／または送信することが可能であり、または、ＩＷＦ／ＳＣＥＦ／インターフェース（例えば、図２に示される）にその要求および複数のバックオフパラメータを送信するように構成されることが可能であり、かつ／または送信することが可能である（例えば、２１において）。複数のバックオフパラメータ（例えば、２１において送信された）は、例えば、１または複数のグループ識別子（ＩＤ）、ＷＴＲＵまたはＷＴＲＵのグループがバックオフされるべき１または複数の時間間隔、および／またはバックオフする要求が有効であり得る１または複数の時間間隔を含むことが可能である。ＡＳは、輻輳制御を求める要求、および／または複数のバックオフパラメータと一緒に、メッセージまたは情報要素を送信するように構成されることが可能であり、かつ／または送信することが可能である（例えば、２１において）。メッセージまたは情報要素は、輻輳制御を求める要求をイネーブルにすること、またはディセーブルにすることの理由（例えば、サービス利用不能またはサービス再開）、ならびに他の所定の情報（例えば、発行者の名前、要求の時刻および日付スタンプ、連絡先情報、および／または類似したもの）を含むことが可能である。
【００６７】
ＩＷＦ／ＳＣＥＦ／インターフェース（例えば、２２０および／または３２０、および／またはインターフェースもしくは接続を介する同一のネットワークエンティティもしくは別のネットワークエンティティおよび／またはＡＳなどのネットワークエンティティ）が、ＡＳから（例えば、２１において）そのようなパラメータ、情報、メッセージ、および／または類似したもの（例えば、前述した）を受信するように構成されることが可能であり、かつ／または受信することが可能である。一例において、ＩＷＦ／ＳＣＥＦ／インターフェースが（例えば、２２において）、そのような受信されたパラメータ、情報、メッセージ、および／または類似したもの（例えば、２１において受信された）を記憶することが可能である。ＩＷＦ／ＳＣＥＦ／インターフェースは、自ら、かつ／またはコアネットワークエンティティ、例えば、ホーム加入者サービス（ＨＳＳ）および／またはホームロケーションレジスタ（ＨＬＲ）（例えば、２３０、および／またはネットワーク３３０における構成要素）を相手に検証を行うように構成されて、かつ／または検証して、ＡＳに関して要求（例えば、２１において送信され、受信された）が許される（例えば、許可される）かどうかを判定することが可能である。例えば、ＩＷＦ／ＳＣＥＦ／インターフェースは、ＡＳが、そのような要求を行うことを許され得るかどうか（例えば、それが、サービス層合意（ＳＬＡ）によって示される要求を行うことを許されることが可能であり、かつ／またはコアネットワークによって許されることが可能であるかどうか）、および／または要求もしくはメッセージが、そのような要求を処理する（例えば、許可する）のに適切なフォーマットおよび／または情報またはパラメータを含まない可能性があるかどうかを検証すること、または判定することが可能である。本明細書で説明されるとおり、ＩＷＦ／ＳＣＥＦ／インターフェースは、例えば、ＡＳからの要求（例えば、２１において送信され、受信された）が、本明細書で説明されるとおり検証されること、および／または許可されることが可能でない（例えば、２５において、かつ／または３１の一環として）場合、メッセージまたは応答を与える（例えば、理由と一緒に）ことが可能である。
【００６８】
さらに、１または複数の例において、ＩＷＦ／ＳＣＥＦ／インターフェースは、輻輳制御を求めるＡＰの要求のターゲットであることが可能である（例えば、かつ一例において２２において記憶され得る）アプリケーションサーバ識別子（ＩＤ）およびＷＴＲＵ識別子、ＷＴＲＵグループ識別子（ＩＤ）、ＷＴＲＵまたはＷＴＲＵのグループに関係のあるＷＴＲＵサブグループ識別子（ＩＤ）、および／または他の任意の適切な識別子（例えば、ＩＷＦ／ＳＣＥＦ／インターフェースに関連付けられた参照識別子などの）を生成するように、もしくはもたらすように構成されることが可能であり、かつ／または生成すること、もしくはもたらすことが可能である（例えば、２２において）。ＩＷＦ／ＳＣＥＦ／インターフェース（例えば、および／またはインターフェースもしくは接続を介するネットワークエンティティ）は、ＡＳから（例えば、２１において）受信された複数のバックオフパラメータおよびメッセージもしくは情報要素、または複数のバックオフパラメータおよびメッセージもしくは情報要素に含められた情報のサブセット、および／または識別子（ＩＤ）をコアネットワークエンティティ（例えば、図示されるＨＳＳ／ＨＬＲ２３０などの）に提供するように構成されることが可能であり、かつ／または提供すること、もしくは送信すること（例えば、２３において）が可能である。
【００６９】
コアネットワークエンティティ（例えば、ＨＳＳ／ＨＬＲ２３０、および／またはコアネットワークエンティティ３３０）は、要求を受信するように構成されることが可能であり、かつ／または受信することが可能であり（例えば、２３において）、かつＡＳから（例えば、ＩＷＦ／ＳＣＥＦ／インターフェースを介して）受信された輻輳制御を求める要求が許可され得るかどうかを検証するように構成されることが可能であり、かつ／または検証すること、もしくは判定することが可能である（例えば、２４において）。例えば、コアネットワークエンティティ（例えば、２３０および／または３３０）が、メッセージもしくは要求に含められ得る識別子のうちの１または複数を含むメッセージもしくは要求、および／または１または複数のパラメータを検査して、識別子が、要求が許可され得る識別子に関連付けられているかどうか（例えば、ＡＰに関連付けられていることが可能なアプリケーション識別子は、コアネットワークに要求を行うことを許されることが可能であり、かつ／またはＷＴＲＵ識別子に基づくＷＴＲＵが、輻輳制御を適用することを許されることが可能であり、かつ／またはＡＰによって制御されることが可能であり）、および／または含められたパラメータおよび／または情報のうちの１または複数が、輻輳制御を実行するように受入れ可能である（例えば、閾値を下回っており、かつ／または範囲内であることが可能である）かどうかを判定することが可能である。コアネットワークエンティティ（例えば、ＨＳＳ／ＨＬＲ）は、要求において受信されることが可能であり、かつ／または検証され得る（例えば、２４において）識別子および／またはパラメータもしくは他の情報を記憶するように構成され得る。
【００７０】
コアネットワークエンティティ（例えば、ＨＳＳ／ＨＬＲ２３０および／またはコアネットワークエンティティ３３０）は（例えば、許可があると）、（例えば、ＩＷＦ／ＳＣＥＦ／インターフェース２２０および／またはＡＳ２１０に、例えば、２５および／または３１の一環として）ＷＴＲＵ、またはＷＴＲＵのグループ、またはＷＴＲＵのグループのサブセットにサービスを提供していることが可能なコアネットワーク（ＣＮ）ノードのアドレスを与えるように構成されることも可能であり、かつ／または与えること、もしくは送信することが可能である。ＣＮノードは、例えば、モビリティ管理エンティティ（ＭＭＥ）、サービング汎用パケット無線サービス（ＧＰＲＳ）サポートノード（ＳＧＳＮ）、またはモバイル交換局（ＭＳＣ）ビジタロケーションレジスタ（ＶＬＲ）、および類似したものであることが可能である。ＣＮノードは、例えば、（１）１または複数のユーザ機器（ＵＥ）に指定され得るＭＭＥのプールがＬＴＥシステムにあることが可能である場合、または（２）１または複数の移動局（ＭＳ）に指定されたＳＧＳＮのプールが、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）無線アクセスネットワーク／Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）システムにあることが可能である場合、いくつかのアドレスを提供することが可能である。
【００７１】
例（例えば、コアネットワークエンティティ（例えば、ＨＳＳおよび／またはＨＬＲ）が、例えば、識別子のうちの１または複数に基づいてパラメータが受入れ可能でない、かつ／または要求が許可されない可能性がある場合などの検証もしくは判定（例えば、２４における）に基づいて、輻輳制御を求める要求を許可しない（例えば、２４において）可能性がある場合、またはそのようなとき）、要求の拒否を示す応答が、理由が拒否された理由を記述する理由コードと一緒にＡＳに送信されることが可能である（例として、例えば、図２における破線矢印２５によって示されるとおり、かつ／または３１における応答の一環として、かつ／または図３に示されるインターフェースもしくは接続を介してＩＷＦ／ＳＣＥＦ／インターフェース２２０を介して）。一例において、コアネットワークエンティティ（例えば、ＨＳＳ／ＨＬＲ）に対する要求が許可され得る場合、またはそのようなとき（例えば、２４において）、ＩＷＦ／ＳＣＥＦ／インターフェース（例えば、および／またはインターフェースもしくは接続を介するネットワークエンティティ）は、要求が許可されているというインジケーションにより、ＡＳに応答するように構成されることが可能であり、かつ／またはＡＳに応答を与えることが可能である（例えば、２５において、かつ／または３１における応答の一環として）。
【００７２】
図示されるとおり、ＩＷＦ／ＳＣＥＦ／インターフェース（例えば、および／またはインターフェースもしくは接続を介するネットワークエンティティおよび／またはＡＳ）、および／またはコアネットワークエンティティ（例えば、ＨＳＳ／ＨＬＲ）は、サービングノード（例えば、ＭＭＥおよび／またはＳＧＳＮ、および／またはＭＳＣ／ＶＬＲ）に、サービングノードによって受信され得る（例えば、２６において）輻輳制御を求める要求を転送するように構成されることが可能であり、かつ／または転送すること、もしくは送信することが可能である（例えば、２６において）。ＩＷＦ／ＳＣＥＦ／インターフェース（例えば、および／またはインターフェースもしくは接続を介するネットワークエンティティおよび／またはＡＳ）、および／またはコアネットワークエンティティ（例えば、ＨＳＳ／ＨＬＲ）は、要求が向けられている可能性があるＷＴＲＵ、ＷＴＲＵのグループ、またはＷＴＲＵのグループのサブセットを識別するように構成されることが可能であり、かつ／または決定すること、または識別することを行って（例えば、２２および／または２４の一環として、かつ／または２２および／または２４とは別に）、要求が有効であり得る時間、および要求されるバックオフ時間、および／または要求を遵守するのに、かつ／または要求を開始するのにサービングノードに与えられる必要があり得る他の任意の適切なパラメータを識別すること、または指定することが可能である。
【００７３】
例において、サービングノード（例えば、ＳＧＳＮ／ＭＭＥ２４０および／またはコアネットワークエンティティ３３０）が、要求を検証するように構成されることが可能であり、かつ／または検証すること（例えば、受け入れること、または拒否すること、および／または許可すること）が可能である（例えば、２７において）。例えば、サービングノードは、サービングノードが、受信され得るＷＴＲＵ、ＡＳ、ＩＷＦ／ＳＣＥＦ／インターフェース、および／または類似したものにサービスを提供することが可能であるかどうか（例えば、参照識別子などの１または複数の識別子に基づいて）、および／または輻輳制御が許され得るかどうか（例えば、合意に基づいて）を判定することが可能である。サービングノードは、例えば、サービングノードがＷＴＲＵ、ＷＴＲＵのグループ、またはＷＴＲＵのグループのサブセットにサービスを提供することが可能でない場合、応答を送信することによって（例えば、図２に破線で２８において示されるとおり、かつ／または３１の一環として）要求を拒否するように構成されることが可能であり、かつ／または拒否することが可能である。サービングノードは、例えば、サービングノードがＷＴＲＵ、ＷＴＲＵのグループ、またはＷＴＲＵのグループのサブセットに関するコンテキストを有しない可能性がある場合、応答を送信することによって要求を拒否する（例えば、２８および／または３１において）ようにさらに構成されることが可能である。本明細書で説明されるそのような応答（例えば、２８および／または３１における）は、理由を含むことも可能である。サービングノードは、サービングノードによって受信され得る要求（例えば、輻輳制御を適用するための）の一部であり得る１または複数のパラメータおよび／または情報、および／または類似したものを記憶するように構成されることも可能であり、かつ／または記憶することが可能である（例えば、２７において）。
【００７４】
サービングノード（例えば、ＳＧＳＮ／ＭＭＥ）は、輻輳制御を求める要求が許可されている可能性があるという確認応答で、かつ／またはサービングノードが、輻輳制御を適用することができ得る（例えば、それが成功であることが可能であり、かつ／または情報が輻輳制御を適用するのに適切であり得る）場合、コアネットワークエンティティ（例えば、ＨＳＳ／ＨＬＲ）および／またはＩＷＦ／ＳＣＥＦ／インターフェース（例えば、および／または別のネットワークエンティティなどのネットワークエンティティ）、および／またはＡＳに応答するように構成されることが可能であり、かつ／または応答すること、もしくは送信することが可能である（例えば、３１において）。輻輳制御を適用するための手順または技法は、輻輳制御が、ＡＳによってターゲットにされる識別されたＷＴＲＵ（例えば、２５０および／または１０２ａ〜ｄ）、またはＷＴＲＵのグループ、またはグループのサブセットに適用され得るようにサービングノード（例えば、ＭＭＥ、ＳＧＳＮ、ＭＳＣ／ＶＬＲ、または類似したもの）によって開始されることが可能である。例において（例えば、ＷＴＲＵ、ＷＴＲＵのグループ、またはＷＴＲＵのグループのサブセットが、接続モードにあることが可能である、または既に接続モードにあることが可能である場合）、サービングノードは、バックオフ（ＢＯ）するよう（例えば、特定のＡＳ上のサービスにアクセスしようと試みることを止めるよう）ＷＴＲＵに告げるように示す非アクセス層（ＮＡＳ）メッセージを送信するように構成されることが可能であり、かつ／または送信することが可能である（例えば、２９において）。ＮＡＳメッセージは、要求が向けられ得るサービスまたはＡＳを識別する情報を含むことが可能である。サービングノード（例えば、ＭＭＥもしくはＳＧＳＮ，またはＭＳＣ／ＶＬＲ）は、ＢＯタイマを含むように構成されることも可能である。ＢＯタイマは、ＡＳ、ＩＷＦ／ＳＣＥＦ／インターフェース、および／または類似したものから、またはこれらを介して受信されること、またはＷＴＲＵもしくはサービングノードにおけるローカルポリシーにより構成されることが可能である。
【００７５】
本明細書における例によれば（例えば、ＷＴＲＵ、ＷＴＲＵのグループ、またはＷＴＲＵのサブセットがアイドルモードにあり得る場合）、サービングノード（例えば、ＳＧＳＮ／ＭＭＥ２４０）は、ＷＴＲＵ（例えば、２５０、および／または１０２ａ〜ｄのうちの１または複数）、ＷＴＲＵのグループ、またはグループの一部であり得るＷＴＲＵのサブセットにページングを行うように構成されることが可能であり、かつ／またはページングを行うことが可能である（２９において）。ＷＴＲＵは、そのページングに（例えば、サービス要求（ＳＲ）、拡張サービス要求（ＥＳＲ）、追跡エリア更新（ＴＡＵ）、および／または類似したものを使用して）応答するように構成されることが可能であり、かつ／または応答することが可能であり（例えば、３０において）、サービングノードは、ＮＡＳメッセージを拒否するように構成され、かつ／または拒否すること、およびＢＯタイマを含めることが可能である。例によれば、サービングノードは、「拒否」メッセージ（例えば、ＷＴＲＵがＴＡＵ要求を送信している可能性がある場合、ＴＡＵ拒否）を送信することによって、受信された要求を拒否することが可能である（例えば、３０において）。さらに、例において、サービングノードは、例えば、ＭＭＥにおいて輻輳が存在する可能性がある場合、ＷＴＲＵが知られていない可能性がある場合、および／または類似したことの場合、要求を拒否することが可能である。
【００７６】
本明細書における１または複数の例において（例えば、ＷＴＲＵ、ＷＴＲＵのグループ、またはＷＴＲＵのサブセットがアイドルモードにあり得る場合）、サービングノード（例えば、ＳＧＳＮ／ＭＭＥ２４０）は、そのＷＴＲＵ、および／またはそれらのＷＴＲＵがＮＡＳ接続を確立するのを待つように構成されることが可能であり、さらに／または待つことが可能であり（例えば、サービングノードは、ＷＴＲＵがいつそれとコンタクトしたのかを知らない可能性があるので、「周期的更新」時刻に調整された、に基づいて）、例えば、それ、またはそれらがコンタクトした場合、もしくはそのようなとき、サービングノードは（例えば、ＷＴＲＵの識別子が、ＢＯが適用されるべきＷＴＲＵの識別子と合致すること、および／またはＢＯが適用されるべきグループの中の識別子であることに基づいて）、例えば、そのＷＴＲＵ、またはそれらのＷＴＲＵが、ＢＯが適用されるべきＷＴＲＵであり得るかどうか、かつ／またはＢＯが適用されるべきグループの一部であり得るかどうかを検証するように構成されることが可能であり、かつ／または検証する（例えば、判定する）ことが可能である。例によれば（例えば、ＢＯが、検証（例えば、判定）に基づいて適用されるべき場合）、サービングノードは、（例えば、対応する拒否メッセージを送信することによって）そのＷＴＲＵのＮＡＳメッセージ（例えば、ＳＲ、ＥＳＲ、ＴＡＵ、および／または類似したもの）を拒否するように構成されることが可能であり、かつ／または拒否することが可能であり、本明細書で説明されるとおり、ＩＷＦ／ＳＣＥＦ／インターフェースおよび／またはネットワークエンティティから受信された、またはＷＴＲＵもしくはサービングノードにおけるローカルポリシーによる値を有するＢＯタイマを拒否メッセージに含めることが可能である。サービングノードは、要求が向けられていることが可能なサービスまたはＡＳを（例えば、オペレータの構成を介して、かつ／またはＡＳがサービングノードとコンタクトしたときからの情報（例えば、２１、２３、および２６において受信された、かつ送信された）に基づいて）識別するように構成されることが可能であり、かつ／または識別することが可能である。
【００７７】
サービングノード（例えば、ＳＧＳＮ／ＭＭＥ２４０）は、例えば、少なくとも１つのＷＴＲＵがバックオフ（ＢＯ）タイマにかけられている、ＷＴＲＵのグループ、またはグループにおけるＷＴＲＵのサブセットがバックオフタイマにかけられている場合、もしくはそのようなとき、ＢＯタイマがＷＴＲＵ（例えば、２５）、またはＷＴＲＵのグループ、またはＷＴＲＵのグループのサブセットに適用されていることをＩＷＦ／ＳＣＥＦ／インターフェースおよび／またはネットワークエンティティ（例えば、ＨＳＳ／ＨＬＲ２３０）に知らせるように構成されることが可能であり、かつ／または知らせることが可能である（例えば、応答メッセージにおいて（例えば、３１において））。ＩＷＦおよび／またはネットワークエンティティは、ＡＳにそのＷＴＲＵ、またはそれらのＷＴＲＵのバックオフのインジケーションを転送するように構成されることが可能であり、かつ／または転送する（例えば、送信する）ことが可能である（例えば、３１において）。一例において、応答が、サービングノードによってネットワークエンティティに与えられること、および、その後、ＡＳに対するＩＷＦ／ＳＣＥＦ／インターフェースに与えられることが可能である。それは、図示されるとおり、直接に与えられること、および／またはＩＷＦ／ＳＣＥＦ／インターフェースを介して与えられることも可能である。
【００７８】
本明細書における例において、ＡＳは、所定の時点でＷＴＲＵ、ＷＴＲＵのグループ、またはＷＴＲＵのグループのサブセットに関するＢＯタイマを延長する別の要求を再サブミットするようにさらに構成されることが可能であり、かつ／または再サブミットすることが可能である（例えば、ＡＳが、ある期間にわたってこれらのデバイスとコンタクトする必要がないことを知った場合）。ＡＳは、本明細書で説明されるのと同一の手順または技法に従うように構成されることが可能であり、かつ／またはそのような手順または技法に従うこと、もしくはそのような手順または技法を実行することが可能である。さらに、サービングノード（例えば、ＭＭＥ、ＳＧＳＮ、ＭＳＣ／ＶＬＲ、または類似したもの）が、例えば、少なくとも１つのＷＴＲＵがシステムに接続した場合、ＭＭＥが、ＩＷＦから受信されたバックオフタイマによりその少なくとも１つのＷＴＲＵをさらにバックオフすることが可能であるように、ある値でＷＴＲＵ、ＷＴＲＵのグループ、またはＷＴＲＵのグループのサブセットに関するＢＯタイマをリセットするように構成されることが可能であり、かつ／またはリセットすることが可能である。
【００７９】
ＡＳは、ＷＴＲＵ、ＷＴＲＵのグループ、またはグループ内のＷＴＲＵのサブセットに関して前に適用されたＢＯ（例えば、ＢＯタイマ）を終了させる要求をサブミットするように構成されることが可能であり、かつ／またはサブミットすること、もしくは送信することが可能である。ＡＳは、要求が、例として、少なくとも１つのＷＴＲＵをバックオフするのではなく、「サービス再開」を示すアクションを有し得ることを除いて、本明細書で説明されるのと（例えば、前段で）同一の手順または技法に従うように構成されることが可能であり、かつ／またはそのような手順または技法に従うこと、もしくはそのような手順または技法を実行することが可能である。サービングノード（例えば、ＭＭＥ、ＳＧＳＮ、ＭＳＣ／ＶＬＲ、または類似したもの）は、ＡＳからのサービス再開要求に応答して、本明細書で説明されるのと（例えば、前段で）同一の手順または技法に従うように構成されることが可能であり、かつ／またはそのような手順または技法に従うこと、もしくはそのような手順または技法を実行することが可能である。サービングノード（例えば、ＭＭＥ、ＳＧＳＮ、ＭＳＣ／ＶＬＲ、または類似したもの）は、サービス再開要求を受信すると、バックオフされるＷＴＲＵ、ＷＴＲＵのグループ、またはグループ内のＷＴＲＵのサブセットにページングを行うように構成されることが可能であり、かつ／またはページングを行うこと（例えば、輻輳が解消された可能性があることをＷＴＲＵに知らせるのにサービングノードによって使用され得るＷＴＲＵの通常のページング）が可能である。ページは、ＷＴＲＵ、ＷＴＲＵのグループ、またはグループ内のＷＴＲＵのサブセットに以前に割り当てられている可能性があるＢＯタイマを停止する効果を有することが可能であり、かつ／または停止することが可能である。
【００８０】
本明細書で説明されるとおり、現在、例えば、アプリケーションサーバ（ＡＳ）が、（例えば、３ＧＰＰ標準において）ＷＴＲＵ、ＷＴＲＵのグループ、またはＷＴＲＵのグループのサブセットを省電力化モード（ＰＳＭ）に入れるように、もしくは省電力化モード（ＰＳＭ）から出すように強制すること、またはそのように制御することを可能にするための手順もしくは技法が欠如している可能性もある。しかし、ＡＳは、マシンタイプ通信（ＭＴＣ）のために構成されたＷＴＲＵ、または同様に構成されたＷＴＲＵのグループがＰＳＭに入ることを望む、所望する、構成する、かつ／または確立する可能性がある。このことは、例えば、ＷＴＲＵが低電力レベルを報告することが可能である後（例えば、ＡＳによって誘導されて）、生じる可能性がある（例えば、ＡＳが、ＷＴＲＵがＰＳＭに入ることを望む、所望する、構成する、かつ／または確立する可能性がある）。そのような例において、ＷＴＲＵは、例えば、特定のイベントを監視していることが可能であり、ＡＳに周期的にレポートを送信することが可能である。このため、例によれば、ＷＴＲＵは、ＡＳによってＰＳＭに入るように通知（例えば、送信されたメッセージ、またはネットワークもしくはＷＴＲＵに対するメッセージもしくは他のシグナリングによって直接に）されない場合、ＰＳＭに入らない可能性がある。
【００８１】
さらに（例えば、３ＧＰＰ標準によれば）、ＷＴＲＵは、ＰＳＭに入ることを要求するように構成されることが可能であり、かつ／または要求することが可能であり（例えば、登録（アタッチ／ＴＡＵ要求）メッセージに情報要素を含めることによって）、ネットワーク要素（例えば、ＭＭＥ）は、これに応答して、ＷＴＲＵにおいてこの動作を許すように構成され得る。例（例えば、ＰＳＭに入ることを許される場合）において、ネットワークは、ＷＴＲＵが終端されるサービスに関して到達可能であり得る時間を定義することが可能な「アクティブ時間」などの時間の量を割り当てることが可能である。ＷＴＲＵは、ネットワークによってＷＴＲＵに与えられるアクティブ時間のそれに設定された値でタイマを開始するように構成されることが可能であり、かつ／または開始することが可能である。例によれば（例えば、このタイマが満了することが可能である場合）、ＷＴＲＵは、その無線機能を非アクティブ化するように、かつアイドルモード手順を停止するように構成されることが可能である。ＷＴＲＵは、例えば、それが送信すべきデータを有し得る場合、もしくはそのようなとき、またはその周期的登録タイマが満了する可能性がある場合、もしくはそのようなとき、通常の動作を再開することが可能である（例えば、ＰＳＭを終了する）。
【００８２】
ＰＳＭ機能のために構成され得るＷＴＲＵは、例において、アクティブ時間値を要求することによってＰＳＭを使用することが可能であり、アタッチ手順中、およびＴＡＵ手順中、周期的追跡エリア更新（ＴＡＵ）／ルーティングエリア更新（ＲＡＵ）タイマ値を要求することが可能である。ＷＴＲＵは、それがアクティブ時間値を要求していない場合、周期的ＴＡＵ／ＲＡＵタイマ値を要求しないことが可能である。３ＧＰＰ標準において指定されるとおり、ネットワークは、ＷＴＲＵがそれを要求しない場合、アクティブ時間値を割り当てないことが可能である。ＰＳＭは、ネットワーク側の回線交換（ＣＳ）ドメインにおいてサポートを有しない可能性がある。さらに（例えば、ＰＳＭがアクティブ化されることが可能である場合）、ＷＴＲＵは、ＷＴＲＵが、１または複数の例においてＣＳドメインにおいて登録されていることが可能であるにしても、モバイル終端ＣＳサービスのページングに関して利用可能でないことがあり得る。また、アタッチ手順およびＴＡＵ手順（例えば、３ＧＰＰ標準による）が、周期的ＴＡＵ時間およびアクティブ時間ネゴシエーションに関する情報をもたらさない可能性がある（例えば、それらが、関連する情報要素（ＩＥ）をもたらさない可能性がある）。
【００８３】
さらに（例えば、ネットワークがアクティブ時間値を割り当てることが可能である場合）、例えば、Ｅｖｏｌｖｅｄ  Ｐａｃｋｅｔ  Ｓｙｓｔｅｍ（ＥＰＳ）接続管理（ＥＣＭ）（例えば、ＥＣＭ＿ＣＯＮＮＥＣＴＥＤ）からＥＣＭ＿ＩＤＬＥに遷移する場合、またはそのようなとき、ＷＴＲＵが、アクティブタイマを開始すること、または起動することが可能であり、サービングノード（例えば、ＳＧＳＮ／ＭＭＥ２４０）が、ネットワークによって割り当てられ得るアクティブ時間値でモバイル到達可能タイマを開始すること、または起動することが可能である。例において（例えば、アクティブタイマが満了することが可能である場合、またはそのようなとき）、ＷＴＲＵは、そのアクセス層機能を非アクティブ化することが可能であり、ＰＳＭに入ることが可能である。ＰＳＭにおいて、アクセス層機能の非アクティブ化に起因して、ＷＴＲＵは、アイドルモード手順を停止することが可能であるが、適用され得る任意の非アクセス層（ＮＡＳ）タイマを実行することを続けることが可能である。例によれば、ＷＴＲＵは、適用可能な周期的ＴＡＵ手順を実行するための周期的ＴＡＵタイマが満了する前に、アクセス層機能（例えば、ＷＴＲＵは、周期的タイマが満了する前に、例えば、送信されるべきシグナリングまたはユーザデータを有する可能性がある）、およびアイドルモード手順を再開するように構成されることが可能であり、かつ／または再開することが可能である。ＷＴＲＵは、（例えば、モバイル発信通信に関して）ＰＳＭにある間、任意の時点においてなど、アイドルモード手順およびアクセス層機能を再開するように構成されることが可能であり、かつ／または再開すること、もしくは実行することが可能である。さらに、電源オフ中に有効のままであるタイマおよび条件（例えば、ＮＡＳレベルバックオフに関する）が、ＰＳＭ中に同様に適用されることが可能である。
【００８４】
例によれば（例えば、モバイル到達可能タイマが、満了することが可能であり、サービングノード（例えば、ＳＧＳＮ／ＭＭＥ２４０）が、ＷＴＲＵに関するアクティブ時間を記憶するように構成されることが可能であり、かつ／または記憶することが可能である場合）、ＭＭＥは、ＷＴＲＵがＰＳＭに入っている可能性があり、ページングのために利用可能でない可能性がある（例えば、アクティブ時間に関連付けられたタイマの満了に起因して）と判定すること、および／または知ることが可能である。サービングノードは、モバイル到達可能タイマ、およびページングのための利用可能性をさらに扱うことが可能である（例えば、それをリセットすること、および／またはそれを別の値に変更すること、もしくは変えることを含む）。さらに例において、ＷＴＲＵ側で、ＰＳＭは、ＥＭＭ＿ＲＥＧＩＳＴＥＲＥＤの何らかの下位状態に準拠することが可能である（例えば、登録されているが、到達可能でないなどのいくつかのモビリティ管理状態によることが可能である）。そのような例において、ＭＭＥは、ＷＴＲＵがＥＭＭ＿ＲＥＧＩＳＴＥＲＥＤであるが、到達可能でないと見なすこと、および／またはそのように扱うことが可能である。ＷＴＲＵのアクセス層機能は、１または複数の例においてＰＳＭ中、非アクティブ化されていると見なされ得る。
【００８５】
このため、例において、ＷＴＲＵは、それがアクティブ化時間を要求することが可能である場合、ＰＳＭに入ることが可能である（例えば、ＰＳＭをアクティブ化することが可能である）。しかし、例によれば、ネットワークが、ＰＳＭを採用するよう、かつ／またはそれをアクティブ化するよう、もしくは非アクティブ化するようＷＴＲＵを「強制する」方法は、存在しない可能性がある。
【００８６】
本明細書で（例えば、後段で）説明されるシステムおよび／または方法は、例えば、ＷＴＲＵ（例えば、ＷＴＲＵ２５０および／または１０２ａ〜ｄなどの）、ＷＴＲＵのグループ、またはＷＴＲＵのグループのサブセットがＰＳＭに入るよう（例えば、ＰＳＭをアクティブ化すること、および／または非アクティブ化することを含め）強制するように提供されこと、および／または使用されることが可能である。例えば、システムおよび／または方法は、ＷＴＲＵ、およびＷＴＲＵのグループが、ネットワークエンティティ（例えば、ＭＭＥ）もしくはＷＴＲＵに含まれるローカルポリシーにより、またはＡＳからの要求により、ＰＳＭをアクティブ化するよう、および／またはＰＳＭを非アクティブ化するよう（例えば、ＡＳ２１０および／または３１０などのＡＳからの要求に応答して）強制することが可能である。
【００８７】
例えば、ＡＳ（例えば、２１０および／または３１０）が、ＰＳＭをアクティブ化すること、および／または非アクティブ化することを含め、ネットワーク（例えば、コアネットワーク）における少なくとも１つのＷＴＲＵ（例えば、２５０、および／または１０２ａ〜ｄのうちの１または複数）の省電力化モード機能をイネーブルにするように、および／またはディセーブルにするように構成されることが可能であり、かつ／またはイネーブルにすること、および／またはディセーブルにすること（例えば、制御すること）が可能である。例によれば、ＡＳは、（例えば、サービングノードが、ＷＴＲＵがＰＳＭを非アクティブ化すること／停止すること、および／またはアクティブ化／開始することが監視される時間などの情報を使用するようにサービングノードに情報を与えることによって）ＷＴＲＵ（例えば、２５０、および／または１０２ａ〜ｄのうちの１または複数）、ＷＴＲＵのグループ、またはＷＴＲＵのグループのサブセットが、アプリケーション層におけるいくつかの判定（例えば、ＡＳによる）に依存してＰＳＭ機能を使用することを開始すべきこと、または停止すべきことを判定するように構成されることが可能であり、かつ／または判定することが可能である。例えば、ＰＳＭにあるＷＴＲＵが、モバイル発信（ＭＯ）トラフィックにより適していることが可能である。しかし、ＡＳがＷＴＲＵ、ＷＴＲＵのグループ、またはグループのサブセットに到達することを望む場合、ＡＳが、そのＷＴＲＵ、またはそれらのＷＴＲＵの設定を変更して、ＰＳＭが、そのＷＴＲＵ、またはそれらのＷＴＲＵによってもはや使用され得ないようにすることが有用であり得る。他方、ＡＳは、ＷＴＲＵ、ＷＴＲＵのグループ、またはＷＴＲＵのグループのサブセットが、ＭＯトラフィックに適したモデルにおいて動作することが、より適切である可能性があるかどうか、またはより適している可能性があるかどうかを考慮するように構成されることが可能であり、かつ／または考慮すること、および／もしくは判定することが可能であり、このため、そのＷＴＲＵ、またはそれらのＷＴＲＵに関してＰＳＭをアクティブ化するよう３ＧＰＰシステムに要求することが可能である（例えば、ＷＴＲＵは、ＭＴＣデバイスは、時には何かを報告することが可能であり、であることが可能であり、すなわち、他の方向でトラフィックはまったく予期されない）。例えば、ＷＴＲＵの、またはＷＴＲＵの間でＰＳＭ機能を執行する、本明細書で説明される（例えば、３ＧＰＰを使用する）システムおよび／または方法の利点は、スケーラビリティを含むことが可能である。例えば、ＷＴＲＵ、または個々のＷＴＲＵにおいて（例えば、特に、多数のＷＴＲＵを含むグループに関して）ＰＳＭ設定を変更するのにＡＳにより上位の層の手順または技法を使用させるのと比べて、本明細書で説明されるシステムおよび／または方法において、よりスケーラブルであることが可能である。
【００８８】
そのようなシステムおよび／または方法において、例によれば、ＩＷＦ／ＳＣＥＦ／インターフェース（例えば、２２０または３２０）が、少なくとも１つのＷＴＲＵ（例えば、２５０、および／または１０２ａ〜ｄのうちの１または複数）のＰＳＭ機能をイネーブルにするため、および／またはディセーブルにするためにＡＳとアプリケーション層（例えば、コアネットワーク）の間で構成されることが可能である。さらに、例（例えば、本明細書の前段で説明されている）において、ＩＷＦ／ＳＣＥＦ／インターフェースは、ＷＴＲＵに、ＷＴＲＵのグループに、またはＷＴＲＵのグループのサブセットに輻輳制御を適用する要求、または輻輳制御を停止する要求を伝送するために構成されることが可能であり、かつ／または伝送すること（例えば、送信すること）が可能である。ＩＷＦ／ＳＣＥＦ／インターフェースは、少なくとも１つのＷＴＲＵにおいてＰＳＭ機能のアクティブ化および／または非アクティブ化を要求するために構成されることも可能である。例えば、ＡＳが、ＷＴＲＵ、ＷＴＲＵのグループ、またはＷＴＲＵのグループのサブセットに対して「ＰＳＭをアクティブ化する」または「ＰＳＭを非アクティブ化する」要求をネットワークまたはコアネットワーク（例えば、３ＧＰＰシステム）にサブミットするように構成されることが可能である。この要求は、例において、図２〜図４に示されるとおり、ＩＷＦ／ＳＣＥＦ／インターフェースに送信されることが可能であり、それについての情報が、ネットワークエンティティ（例えば、ＨＳＳ／ＨＬＲ２３０）および／またはサービングノード（例えば、ＳＧＳＮ／ＭＭＥ）などのコアネットワークに与えられることが可能であり、かつ／またはその後、ＷＴＲＵ（例えば、２３０）に与えられることが可能である。ＡＳは、ＰＳＭ機能およびインターフェースもしくは接続と連携して使用されるアクティブ時間（例えば、コアネットワーク、もしくはコアネットワークのエンティティに送信されることが可能な）を含むように構成され得る。
【００８９】
ＷＴＲＵ、ＷＴＲＵのグループ、またはＷＴＲＵのサブセットに適用されるバックオフ機構によって輻輳制御を執行するための本明細書で説明されるシステムおよび／または方法は、例えば、ＡＳから３ＧＰＰセルラーネットワークに送信される要求が、ＰＳＭをイネーブルにすること、および／またはディセーブルにすることになる（例えば、ＷＴＲＵのＰＳＭおよび／または到達可能性をアクティブ化する、または非アクティブ化する）ことが可能であり、サービス要求をバックオフする要求、またはサービスを再開する要求ではないことを除いて、前述され、図２または図４に示される事象の同様の呼出しフローまたはシーケンスを利用して使用され得る。このことが、図３（例えば、与えられ、送信される情報が、輻輳制御のためのＢＯ要求もしくはＢＯパラメータ、またはＢＯ要求もしくはＢＯパラメータに関連付けられた情報ではなく、説明されるとおりＷＴＲＵのＰＳＭおよび／または到達可能性に関するタイマを含む１または複数のパラメータを含み得ることを除いて、図２と同様であり得る）に示されることが可能である。例えば、図３は、ＰＳＭをアクティブ化すること、または非アクティブ化すること（例えば、本明細書における１または複数の例によりＷＴＲＵの到達可能性を変更すること）を含め、ＰＳＭをイネーブルにすること、および／またはディセーブルにするためのシステムおよび方法３００を示す。本明細書で説明される（例えば、かつ図３および図４に示される例における）システムおよび／または方法は、ターゲットにされるＷＴＲＵ、ＷＴＲＵのグループ、またはＷＴＲＵのサブセットを識別することも可能であり、要求（ＡＳから３ＧＰＰ層への）は、ＰＳＭに関するアクティブ時間として使用されるべき値を含むことも可能である。
【００９０】
ＡＳ（例えば、２１０および／または３１０）およびネットワーク（例えば、２３０、２４０、および／または３３０を含む３ＧＰＰセルラーネットワークおよび／または３ＧＰＰセルラーネットワークのエンティティ）は、ＷＴＲＵ、ＷＴＲＵのグループ、またはＷＴＲＵのグループのサブセットに適用可能な１または複数のＰＳＭ設定を執行するように構成されることが可能であり、かつ／または執行することが可能である。ＰＳＭ設定は、「ＰＳＭのアクティブ化」または「ＰＳＭの非アクティブ化」を含むことが可能である。例において、ＰＳＭ設定は、要求の、または要求に関連付けられたパラメータの一部として送信され得るタイマに基づいて、ＰＳＭをアクティブ化すべきか、非アクティブ化すべきか、および／またはＷＴＲＵのＰＳＭもしくは到達可能性をイネーブルにすべきか、ディセーブルにすべきかの判定を行うサービングノードによって執行されることが可能である。サービングノード（例えば、ＭＭＥおよび／またはＳＧＳＮおよび／またはＭＳＣ／ＶＬＲ）は、特定のＷＴＲＵ、ＷＴＲＵの指定されたグループ、またはＷＴＲＵのグループのサブセットに関してＰＳＭ設定（例えば、ＰＳＭをアクティブ化すること）を執行する要求（例えば、ＡＳからの、かつ４６における例において、４１におけるＩＷＦ／ＳＣＥＦ／インターフェース２５０、および４３におけるネットワークエンティティもしくはＨＳＳ／ＨＬＲ２３０を介してＡＳからの、図３に示される）を受信するように構成されることが可能であり、かつ／または受信することが可能である。サービングノード（例えば、ＭＭＥおよび／またはＳＧＳＮ、および／またはＭＳＣ／ＶＬＲ）は、アクティブタイマを提供するように構成されることが可能であり、かつ／または提供することが可能である（例えば、ＡＳからのＰＳＭ設定を執行する要求に応答してＷＴＲＵにタイマを送信することが可能である）。
【００９１】
本明細書における例によれば、ＰＳＭ設定の執行は、特定の展開例に依存することが可能である。例えば、ＡＳは、サービングノード（例えば、ＭＭＥおよび／またはＳＧＳＮ、および／またはＭＳＣ／ＶＬＲ）が所定の予防的措置をとるべきであるか、またはとるべきでないかのインジケーション（例えば、４１において送信され得るサブミット要求メッセージなどの要求におけるパラメータ）を含むように構成されることが可能であり、かつ／または含むことが可能である。ＡＳは、予防的措置が使用され得る時間を含むように構成されることが可能であり、かつ／または含むことが可能である。サービングノード（例えば、ＭＭＥおよび／またはＳＧＳＮ、および／またはＭＳＣ／ＶＬＲ）は、所定の値でタイマを開始するように構成されることが可能であり、かつ／または開始することが可能であり（例えば、図３の４７において）、このタイマが満了すると、サービングノードは、予防的措置もしくは予防的アクションを行い、かつ／または実行することが可能である（例えば、後段で説明されるとおり、かつ４７において）。予防的措置もしくは予防的アクションは、ＰＳＭ設定を停止すること、または変更することを含み得る。例えば、予防的措置もしくは予防的アクションのインジケーションが存在しない可能性がある場合、サービングノード（例えば、ＭＭＥおよび／またはＳＧＳＮ、および／またはＭＳＣ／ＶＬＲ）は、ＷＴＲＵの次の追跡エリア更新（ＴＡＵ）が、相応するようにＰＳＭ設定を執行するまで、またはそうするのを待つように構成されることが可能であり、かつ／または待つことが可能である（例えば、４７において）。例において（例えば、前述したとおり、予防的措置もしくは予防的アクションが呼び出されることが可能である場合、または予防的措置もしくは予防的アクションを防ぐタイマが満了することが可能である場合）、サービングノードは、予防的措置および／または予防的アクションを（例えば、前述したとおり）行って、ＰＳＭ設定を執行することが可能である（例えば、４７において、ＷＴＲＵが、例えば、４９において呼び出すＰＳＭ設定の更新とコンタクトすること、および／またはそのような更新を送信することを含む）。
【００９２】
さらに、ＡＳは、例えば、ＷＴＲＵがＰＳＭを終了する場合（例えば、データをシグナリングする目的、または送信する目的、または受信する目的で）、ネットワーク（例えば、ＭＭＥ）がＡＳにインジケーションを送信するようネットワークに要求するように構成されることが可能であり、かつ／または要求を送信することが可能である（例えば、図３の４１の一環として、かつ／または別個に）。
【００９３】
さらに、ＷＴＲＵは、ＰＳＭ設定を要求するように構成されることが可能であり、かつ／または要求することが可能である（例えば、要求を送信することが可能である）（例えば、一例において５０において、または別個に）。サービングノード（例えば、ＭＭＥおよび／またはＳＧＳＮ、および／またはＭＳＣ／ＶＬＲ）は、その要求に（例えば、ＰＳＭ設定を求める要求）に応答するように構成されることが可能であり、かつ／または応答することが可能である（例えば、ＰＳＭ設定を有する応答を送信することが可能である）（図３には示されない）。例えば、ＷＴＲＵは、ＰＳＭ設定を要求する追跡エリア更新（ＴＡＵ）メッセージをサービングノード（例えば、ＭＭＥおよび／またはＳＧＳＮ、および／またはＭＳＣ／ＶＬＲ）に送信するように構成され得る。例において、要求され得るＰＳＭ設定は、ＷＴＲＵにおける事前構成された設定に置き換わるように、かつ／またはそのような設定に応答して行われることが可能である。
【００９４】
サービングノードは、ＷＴＲＵが、ＰＳＭ設定が適用され得るＷＴＲＵのグループに入っている可能性があるかどうかを含め、ＷＴＲＵが、ＰＳＭ設定（例えば、アクティブ化および／または非アクティブ化、および／またはイネーブルにすること、またはディセーブルにすることなどの）が送信されるべきＷＴＲＵであることが可能であるかどうかを検証するように構成されることが可能であり、かつ／または検証すること、もしくは判定することが可能である（例えば、４７の一環として）。例えば、サービングノードは、ＷＴＲＵが、ＭＭＥが所定のＰＳＭ設定を執行する要求を受信しているＷＴＲＵであるかどうか、および／またはＭＭＥが所定のＰＳＭ設定を執行する要求を受信しているグループに属するＷＴＲＵであるかどうかを判定する（例えば、４７の一環として）ように構成されることが可能である。サービングノードは、ＷＴＲＵがパラメータもしくは規則を適用すべきＷＴＲＵであることが可能であり、かつ／またはそのＷＴＲＵに関してＰＳＭが許可され得るかどうかにかかわらず、グループの一部であり得るかどうかであり得るかどうかを検証するように構成されることが可能であり、かつ／または検証することが可能である（例えば、４７の一環として）。
【００９５】
さらなる例によれば、サービングノードは、ＰＳＭ設定が、ＡＳによってターゲットにされるＷＴＲＵに関して行われるかどうか、ＷＴＲＵのグループに関して行われるかどうか、またはＷＴＲＵのグループのサブセットに関して行われるかどうかを検証するように構成されることが可能であり、かつ／または検証もしくは判定することが可能である（例えば、４７の一環として）。例によれば、そのような検証および／または判定は、ＡＳからの要求を使用して行われることが可能である。例えば、サービングノードは、ＷＴＲＵに関してＰＳＭ設定をイネーブルにする、かつ／またはディセーブルにする（例えば、アクティブ化する、かつ／または非アクティブ化する）要求をＡＳから受信することが可能であり、サービングノードは、それが、例えば、ＷＴＲＵがＰＳＭに入ることを要求することが可能である場合、インジケーションを使用してＷＴＲＵにおいてＰＳＭをイネーブルにするかどうか、かつ／またはディセーブルにするかどうかを検証すること、および／または判定することが可能であるように、ＷＴＲＵに関してそのようなインジケーションを保存することが可能である。
【００９６】
ＡＳは、要求におけるパラメータもしくは情報（例えば、タイマまたはアクティブタイマ）またはＰＳＭ設定が、輻輳制御またはバックオフタイマではなく、ＰＳＭおよび／またはＷＴＲＵ到達可能性に関連付けられていることを除いて、輻輳制御のために本明細書で説明され、図３に示され、図２に関連して説明されるインターフェースおよび／またはネットワークエンティティによってＰＳＭおよび／またはＷＴＲＵ到達可能性を変更するための要求を送信するように構成されることが可能であり、かつ／または送信することが可能である。さらに、サービングノードは、本明細書で説明され、図３に示されるとおり、インターフェースおよび／またはネットワークエンティティを介して応答することが可能である。インターフェースの非限定的な例は、ミドルノード、中間ノード、ＩＷＦ、ＳＣＥＦ、ゲートウェイ機能、および／または類似したものを含むことが可能である。
【００９７】
例えば、本明細書で説明されるとおり、ＡＳ（例えば、２１０および／または３１０）は、ＰＳＭ、および／または１または複数のＰＳＭ設定（例えば、ＷＴＲＵの到達可能性、またはＷＴＲＵがＡＳによって到達可能なままであり得る時間を含む）をイネーブルにする、かつ／またはディセーブルにするサブミット要求などの要求を送信するように構成されることが可能であり、かつ／または送信することが可能である（例えば、４１において）。要求は、本明細書で説明されるとおり、ＷＴＲＵが到達可能なままであり得るタイマまたはアクティブ時間タイマを含め、設定されるべきＰＳＭ設定、ＰＳＭおよび／または到達可能性に関連付けられた１または複数のパラメータおよび／または情報、および／または類似したものを含むことが可能である。示されるとおり、要求は、ＩＷＦ／ＳＣＥＦ／インターフェース（例えば、２２０および／または３２０）に送信されて、ＩＷＦ／ＳＣＥＦ／インターフェースによって受信されることが可能である（例えば、４１において）。
【００９８】
一例において、ＩＷＦ／ＳＣＥＦ／インターフェースは（４２において）、タイマまたはアクティブ時間を含め、要求におけるそのような受信されたパラメータ、情報、メッセージ、および／または類似したもの（例えば、４１において受信された）を記憶することが可能である。さらに、ＩＷＦ／ＳＣＥＦ／インターフェースは、本明細書で前述したとおり（例えば、図２の２２に関連して）、要求を検証するように構成されることが可能であり、かつ／または検証することが可能である（例えば、４２において）。例えば、ＩＷＦ／ＳＣＥＦ／インターフェースは、自ら、かつ／またはコアネットワークエンティティ、例えば、ホーム加入者サービス（ＨＳＳ）および／またはホームロケーションレジスタ（ＨＬＲ）（例えば、２３０、および／またはネットワーク３３０における構成要素）を相手に検証を行うように構成されて、かつ／または検証して、ＡＳに関して要求（例えば、４１において送信され、受信された）が許される（例えば、許可される）かどうかを判定することが可能である。例えば、ＩＷＦ／ＳＣＥＦ／インターフェースは、ＡＳが、そのような要求を行うことを許され得るかどうか（例えば、それが、サービス層合意（ＳＬＡ）によって示される要求を行うことを許されることが可能であり、かつ／またはコアネットワークによって許されることが可能であるかどうか）、および／または要求もしくはメッセージが、アクティブタイマもしくはタイマが有効であるかどうか、または範囲内にあるかどうかを含め、そのような要求を処理する（例えば、許可する）のに適切なフォーマットおよび／または情報またはパラメータを含まない可能性があるかどうかを検証すること、または判定することが可能である。本明細書で説明されるとおり、ＩＷＦ／ＳＣＥＦ／インターフェースは、例えば、ＡＳからの要求（例えば、４１において送信され、受信された）が、本明細書で説明されるとおり検証されること、および／または許可されることが可能でない（例えば、４５において、かつ／または５１の一環として）場合、メッセージまたは応答を与える（例えば、理由と一緒に）ことが可能である。
【００９９】
さらに、１または複数の例において、ＩＷＦ／ＳＣＥＦ／インターフェースは、ＷＴＲＵのＰＳＭおよび／または到達可能性をイネーブルにすること、またはディセーブルにすることを求めるＡＰの要求のターゲットであることが可能である（例えば、かつ一例において４２において記憶され得る）アプリケーションサーバ識別子（ＩＤ）およびＷＴＲＵ識別子、ＷＴＲＵグループ識別子（ＩＤ）、ＷＴＲＵまたはＷＴＲＵのグループに関係のあるＷＴＲＵサブグループ識別子（ＩＤ）、および／または他の任意の適切な識別子（例えば、ＩＷＦ／ＳＣＥＦ／インターフェースに関連付けられた参照識別子などの）を生成するように、もしくはもたらすように構成されることが可能であり、かつ／または生成すること、もしくはもたらすことが可能である（例えば、４２において）。ＩＷＦ／ＳＣＥＦ／インターフェース（例えば、および／またはインターフェースもしくは接続を介するネットワークエンティティ）は、ＡＳから（例えば、４１において）のアクティブ時間もしくはタイマを含む受信されたＰＳＭパラメータ、およびメッセージもしくは情報要素、または複数のバックオフパラメータおよびメッセージもしくは情報要素に含められた情報のサブセット、および／または識別子（ＩＤ）をコアネットワークエンティティ（例えば、図示されるＨＳＳ／ＨＬＲ２３０などの）に提供するように構成されることが可能であり、かつ／または提供すること、もしくは送信すること（例えば、４３において）が可能である。
【０１００】
コアネットワークエンティティ（例えば、ＨＳＳ／ＨＬＲ２３０、および／またはコアネットワークエンティティ３３０）は、要求を受信するように構成されることが可能であり、かつ／または受信することが可能であり（例えば、４３において）、かつＡＳから（例えば、ＩＷＦ／ＳＣＥＦ／インターフェースを介して）受信されたＰＳＭをイネーブルにすること、もしくはディセーブルにすること、または到達可能性を変更することを求める要求が許可され得るかどうかを検証するように構成されることが可能であり、かつ／または検証すること、もしくは判定することが可能である（例えば、４４において）。例えば、コアネットワークエンティティ（例えば、２３０および／または３３０）が、メッセージもしくは要求に含められ得る識別子のうちの１または複数を含むメッセージもしくは要求、および／または１または複数のパラメータを検査して、識別子が、要求が許可され得る識別子に関連付けられているかどうか（例えば、ＡＰに関連付けられていることが可能なアプリケーション識別子は、コアネットワークに要求を行うことを許されることが可能であり、かつ／またはＷＴＲＵ識別子に基づくＷＴＲＵが、ＰＳＭをイネーブルにすること、もしくはディセーブルにすること、または到達可能性を変更することを許されることが可能であり、かつ／またはＡＰによって制御されることが可能であり）、および／またはタイマもしくはアクティブ時間などの含められたパラメータおよび／または情報のうちの１または複数が、ＰＳＭをイネーブルにするように、もしくはディセーブルにするように、または到達可能性を変更するように受入れ可能である（例えば、閾値を下回っており、かつ／または範囲内であることが可能である）かどうかを判定することが可能である。コアネットワークエンティティ（例えば、ＨＳＳ／ＨＬＲ）は、要求において受信されることが可能であり、かつ／または検証され得る（例えば、４４において）識別子および／またはパラメータもしくは他の情報を記憶するように構成され得る。さらに、例において、コアネットワークエンティティは、デバイスが、到達可能であり得る場合、かつ／またはＰＳＭがイネーブルにされ得る、もしくはディセーブルにされ得る、または設定が、ＷＴＲＵをアクティブに保つように適用され得る場合（例えば、４５および／または５１の一環として）、ＩＷＦ／ＳＣＥＦ／インターフェースに通知を与えることが可能である（例えば、４３における要求に応答して）。
【０１０１】
例において（例えば、コアネットワークエンティティ（例えば、ＨＳＳおよび／またはＨＬＲ）が、例えば、パラメータが、受入れ可能でない場合、および／または要求が、識別子のうちの１または複数に基づいて許可されない場合など、４４における検証または判定に基づいて、ＰＳＭをイネーブルにすること、もしくはディセーブルにすること、および／または到達可能性を変更することを求める要求を許可しないこと（例えば、４４において）が可能である場合、またはそのようなとき）、本明細書で説明されるとおり、要求の拒否を示す応答が、理由が拒否された理由を記述する理由コードと一緒にＡＳに送信されることが可能である（例として、例えば、破線矢印４５によって示されるとおり、かつ／または４１における応答の一環として、かつ／または図３に示されるインターフェースもしくは接続を介してＩＷＦ／ＳＣＥＦ／インターフェース２２０を介して）。一例において、コアネットワークエンティティ（例えば、ＨＳＳ／ＨＬＲ）に対する要求が許可され得る場合、またはそのようなとき（例えば、４４において）、ＩＷＦ／ＳＣＥＦ／インターフェース（例えば、および／またはインターフェースもしくは接続を介するネットワークエンティティ）は、要求が許可されているというインジケーションにより、ＡＳに応答するように構成されることが可能であり、かつ／またはＡＳに応答を与えることが可能である（例えば、２５において、かつ／または３１における応答の一環として）。
【０１０２】
図示されるとおり、ＩＷＦ／ＳＣＥＦ／インターフェース（例えば、および／またはインターフェースもしくは接続を介するネットワークエンティティおよび／またはＡＳ）、および／またはコアネットワークエンティティ（例えば、ＨＳＳ／ＨＬＲ）は、サービングノード（例えば、ＭＭＥおよび／またはＳＧＳＮ、および／または２４０などのＭＳＣ／ＶＬＲ、および／または３３０におけるエンティティ）に、サービングノードによって受信され得る（例えば、４６において）ＰＳＭをイネーブルにすること、もしくはディセーブルにすること、および／または到達可能性を変更することを求める要求を転送するように構成されることが可能であり、かつ／または転送すること、もしくは送信することが可能である（例えば、４６において）。ＩＷＦ／ＳＣＥＦ／インターフェース（例えば、および／またはインターフェースもしくは接続を介するネットワークエンティティおよび／またはＡＳ）、および／またはコアネットワークエンティティ（例えば、ＨＳＳ／ＨＬＲ）は、要求が向けられている可能性があるＷＴＲＵ、ＷＴＲＵのグループ、またはＷＴＲＵのグループのサブセットを識別するように構成されることが可能であり、かつ／または決定すること、または識別することを行って（例えば、４２および／または４４の一環として、かつ／または４２および／または４４とは別に）、要求が有効であり得る時間、および要求されるアクティブ時間もしくはタイマ、および／または要求を遵守するのに、かつ／または要求を開始するのにサービングノードに与えられる必要があり得る他の任意の適切なパラメータを識別すること、または指定することが可能である。
【０１０３】
例において、サービングノード（例えば、ＳＧＳＮ／ＭＭＥ２４０および／またはコアネットワークエンティティ３３０）が、要求を検証するように構成されることが可能であり、かつ／または検証すること（例えば、受け入れること、または拒否すること、および／または許可すること）が可能である（例えば、４７において）。例えば、サービングノードは、サービングノードが、受信され得るＷＴＲＵ、ＡＳ、ＩＷＦ／ＳＣＥＦ／インターフェース、および／または類似したものにサービスを提供することが可能であるかどうか（例えば、参照識別子などの１または複数の識別子に基づいて）、および／またはＰＳＭ（例えば、イネーブルにすること、もしくはディセーブルにすること）、または到達可能性を変更することが許され得るかどうか（例えば、合意に基づいて）を判定することが可能である（例えば、２４において）。サービングノードは、例えば、サービングノードがＷＴＲＵ、ＷＴＲＵのグループ、またはＷＴＲＵのグループのサブセットにサービスを提供することが可能でない場合、応答を送信することによって（例えば、図２に破線で４８において示されるとおり、かつ／または５１の一環として）要求を拒否するように構成されることが可能であり、かつ／または拒否することが可能である。サービングノードは、例えば、サービングノードがＷＴＲＵ、ＷＴＲＵのグループ、またはＷＴＲＵのグループのサブセットに関するコンテキストを有しない可能性がある場合、応答を送信することによって要求を拒否する（例えば、２８および／または３１において）ようにさらに構成されることが可能である。本明細書で説明されるそのような応答（例えば、４８および／または５１における）は、理由を含むことも可能である。サービングノードは、サービングノードによって受信され得る要求（例えば、本明細書で説明されるとおり、タイマおよび／または他のパラメータを含め、ＰＳＭおよび／または到達可能性を適用するための）の一部であり得る１または複数のパラメータおよび／または情報、および／または類似したものを記憶するように構成されることも可能であり、かつ／または記憶することが可能である（例えば、５７において）。さらに（例えば、４７、ならびに４９において）、サービングノードは、本明細書で説明されるとおり、接続モードに入ることに関してＷＴＲＵ（例えば、２５０）を監視することが可能であり、タイマおよび／またはアクティブ時間を適用することが可能である（例えば、ＷＴＲＵがアクティブ、および／または接続されたままであるようにするように）。例において、本明細書で説明されるとおり、このことは、各ＴＡＵ／ＲＡＵ手順において、かつ／またはＴＡＵ／ＲＡＵ手順を介して適用されることが可能である（例えば、４７および４９において）。
【０１０４】
さらに、実施形態において、サービングノード（例えば、ＳＧＳＮ／ＭＭＥ）は、コアネットワークエンティティ（例えば、ＨＳＳ／ＨＬＲ）および／またはＩＷＦ／ＳＣＥＦ／インターフェース（例えば、および／または別のネットワークエンティティなどのネットワークエンティティ）、および／またはＡＳに、ＰＳＭをイネーブルにすること、もしくはディセーブルにすることを求める要求、または到達可能性が許可されている可能性があることの確認応答、および／またはサービングノードがそのようなＰＳＭ設定を適用することが可能であるかどうかを応答するように構成されることが可能であり、かつ／または応答すること、もしくは送信することが可能である（例えば、５１において）。本明細書で説明される予防的措置アクションは、ＰＳＭ設定および／または到達可能性が、本明細書で説明されるとおりＡＳによってターゲットにされる識別されたＷＴＲＵ（例えば、２５０および／または１０２ａ〜ｄ）、またはＷＴＲＵのグループ、またはグループのサブセットに適用され得るようにサービングノード（例えば、ＭＭＥ、ＳＧＳＮ、ＭＳＣ／ＶＬＲ、または類似したもの）によって開始されることが可能である。本明細書における例において、ＷＴＲＵ（例えば、２５０）は、アクティブタイマもしくはアクティブ時間などの情報もしくはパラメータ、および／またはその他のＰＳＭ設定を受信することが可能であり（例えば、４９において）、アクティブタイマの持続時間にわたって、またはアクティブタイマの満了まで到達可能のままであることが可能である。一例によれば（例えば、アクティブタイマもしくはアクティブ時間が満了すると）、ＷＴＲＵは、ＰＳＭ設定に基づいてＰＳＭ、すなわち、省電力化モードに入ることが可能である。このため、本明細書で説明されるとおり、サービングノードは、アプリケーションサーバから受信された１または複数の設定に基づいてＰＳＭ機能がイネーブルにされ、ディセーブルにされるように（例えば、アクティブ時間の持続時間にわたって）、１または複数のＰＳＭ設定に基づいて、ＷＴＲＵにおけるＰＳＭ機能をトリガすることが可能である（例えば、４７および／または４９において）。
【０１０５】
一例によれば、ＰＳＭ設定は、サービングノード（例えば、ＭＭＥおよび／またはＳＧＳＮ、および／またはＭＳＣ／ＶＬＲ）が、ＷＴＲＵ要求にかかわらず、ＷＴＲＵにＰＳＭ使用を許可すること、および／または許可するのを拒否することをもたらすことが可能である。例えば、ＷＴＲＵは、設定が、ＰＳＭの使用を禁止する可能性があり、かつＷＴＲＵが、ＰＳＭが禁止されている可能性があるＷＴＲＵであり得る（例えば、禁止されたグループ、または禁止されたグループに含まれる）場合、サービングノード（例えば、ＳＧＳＮ／ＭＭＥ２４０、および／またはコアネットワークエンティティ３３０）によってＰＳＭ使用を許可されない可能性がある（例えば、４７および／または４９において）。そのようなシナリオにおいて、サービングノードは、ＷＴＲＵにアクティブ時間を割り当てないことが可能であり、ＷＴＲＵにＰＳＭがなぜ許可されないかを示す理由コード（例えば、ＰＳＭを使用しないＡＳ設定）をＴＡＵ受入れメッセージに含めることが可能である。サービングノードは、例において、ＭＭＥが、ＷＴＲＵがＰＳＭを使用することが可能であることを示す（例えば、ＷＴＲＵが、ＴＡＵにおいてアクティブ時間を要求することをしないかどうかにかかわらず）ＰＳＭ設定を有し得る場合、ＴＡＵにアクティブ時間を含めるように構成されることが可能であり、かつ／または含めることが可能である。サービングノード（例えば、ＭＭＥおよび／またはＳＧＳＮ、および／またはＭＳＣ／ＶＬＲ）は、（例えば、ミドルノード、中間ノード、ＩＷＦ、もしくはゲートウェイ機能、または類似したものなどのインターフェースを介して）ＡＳから与えられる値を有するアクティブ時間を使用するように構成されることが可能であり、かつ／または使用することが可能である。サービングノード（例えば、ＭＭＥおよび／またはＳＧＳＮ、および／またはＭＳＣ／ＶＬＲ）は、アクティブタイマが使用され得る（例えば、ＰＳＭがアクティブ化され得る）ことをＷＴＲＵに知らせるメッセージまたは情報要素（ＩＥ）を含むことが可能である。サービングノードの前述した構成は、ＷＴＲＵがアクティブタイマを無視することが可能でないことを確実にすることが可能である。本明細書で説明されるとおり、例において、ＷＴＲＵ、および／またはＳＧＳＮ／ＭＭＥなどのサービングノードは、ＷＴＲＵによってＰＳＭをアクティブ化するのに、または非アクティブ化するのに使用され得るＮＡＳメッセージ（例えば、ＷＴＲＵからのアタッチ要求、およびＳＧＳＮ／ＭＭＥなどのサービングノードからのアタッチ応答）を使用するように構成されることが可能である。
【０１０６】
例によれば、サービングノード（例えば、２４０および／またはコアネットワークエンティティ２３０を含むＭＭＥおよび／またはＳＧＳＮ、および／またはＭＳＣ／ＶＬＲ）が、ＷＴＲＵにおけるＰＳＭ設定を変更する予防的措置アクションをとるように構成されることが可能であり、かつ／またはそのようなアクションをとること、または実行することが可能である。例えば、ＷＴＲＵがアイドルモードの場合、サービングノードは、最初にＷＴＲＵにページングを行い（例えば、４９において）、接続モードに入り、その後、相応するようにＰＳＭ設定を変更するようＷＴＲＵを強制する。例えば、サービングノード（例えば、２４０などのＳＧＳＮ／ＭＭＥ）は、ＷＴＲＵの国際モバイル加入者識別子（ＩＭＳＩ）でＷＴＲＵ（例えば、２５０）にページングを行うように構成されることが可能であり、そうすることは、システムに再アタッチするようＷＴＲＵを強制する効果を有する。再アタッチ手順中、サービングノードは、例えば、ＴＡＵメッセージもしくはＮＡＳメッセージで、前述したとおり、所定のＰＳＭ設定を執行するように構成され得る。サービングノードは、システムアーキテクチャ（ＳＡＥ）一時モバイル加入者識別子（Ｓ−ＴＭＳＩ）でＷＴＲＵにページングを行うように構成され得る（例えば、４９において）。ＷＴＲＵが接続モードになる場合、サービングノードは、再アタッチするようＷＴＲＵを強制するデタッチ手順を開始する（例えば、４７および４９において）ようにさらに構成され得る。再アタッチ手順中、サービングノードは、本明細書で（例えば、前段で）説明されているとおりＰＳＭ設定を執行することが可能である。ＭＭＥは、Ｓ−ＴＭＳＩでＷＴＲＵにページングを行うように構成されることが可能であり、そうすることは、ＷＴＲＵが（拡張された）サービス要求メッセージを送信することをトリガすることが可能である（例えば、５０の一環として）。次に、サービングノードは、サービス拒否でそのメッセージを拒否し、１または複数の理由コード（例えば、「＃１０−暗黙にデタッチされた」）を使用してシステムに再アタッチするようＷＴＲＵを強制する理由コードを含めることが可能である。ＭＭＥは、ＴＡＵ要求またはアタッチ要求を送信するようＷＴＲＵを強制する他の措置をとる（例えば、Ｓ−ＴＭＳＩでＷＴＲＵにページングを行う）ように構成されることが可能であり、次に、サービス要求手順が正常に完了した後、サービングノードは、ＷＴＲＵのパケットデータネットワーク（ＰＤＮ）接続もしくはデフォルトのベアラのうちの１または複数を非アクティブ化することが可能である（例えば、４７の一環として）。最後のデフォルトのベアラを非アクティブ化している間、サービングは、再アタッチするようＷＴＲＵを強制する理由コード（例えば、「再アタッチが要求される」）、または他の任意のセッション管理理由コードを含めることが可能である。
【０１０７】
１または複数の例において（例えば、ＷＴＲＵが接続モードにあることが可能である場合）、サービングノードは、前述した１または複数の措置をとることが可能である（例えば、ＷＴＲＵがページングを行った後）。例えば、ＭＭＥが、ＷＴＲＵがネットワークもしくはシステムに再アタッチするようにすること、および／またはさせることが可能な理由コードでネットワーク開始されたデタッチを実行することが可能である。
【０１０８】
ＮＡＳメッセージおよび／またはＮＡＳ方法が定義されることが可能であり、またはＮＡＳメッセージ（例えば、３ＧＰＰによって定義され得る）（例えば、ＥＭＭ  ＮＡＳ情報）が、ＷＴＲＵにおいて特定のＰＳＭ設定を執行するのにサービングノード（例えば、ＳＧＳＮ／ＭＭＥ）によって用いられること、および／または使用されることが可能である（例えば、４７および４９において）。例えば、「ＮＡＳ  ＵＥフィーチャ要求」が、前述したとおり、ＰＳＭに関する所定のＭＭＥ設定を伝送するように与えられること、および／または使用されることが可能である。このメッセージは、ＰＳＭがアクティブ化されるべきか、または非アクティブ化されるべきかを示す「要求タイプ」を含むことが可能である。メッセージは、ＭＭＥによってインターフェースを介してＡＳから受信された他のパラメータ（例えば、ＭＭＥによって決定されたアクティブタイマ）または他の情報を含むことも可能である。
【０１０９】
例によれば（例えば、ＷＴＲＵが、４９においてこのメッセージを受信した場合）、ＷＴＲＵは、それが受信している可能性がある以前のＰＳＭ設定およびパラメータ（例えば、以前に割り当てられたアクティブタイマ）を無視することが可能であり、与えられたパラメータ（存在する場合）を使用して開始することが可能である。例えば、ＷＴＲＵが、ＰＳＭを既に使用していることが可能であり、かつ本明細書で説明され、ＷＴＲＵによって受信されるＮＡＳメッセージが、ＷＴＲＵがＰＳＭを使用するのを停止すべきことを示す場合、ＷＴＲＵは、ＰＳＭ，および関連するアクティブタイマを使用することを停止することが可能である。さらに（例えば、ＮＡＳメッセージが、ＰＳＭの使用を示す場合）、ＷＴＲＵは、ＰＳＭを使用することを開始することが可能であり、与えられたアクティブタイマを使用して、以前に割り当てられたアクティブタイマを無視することも可能である。このため、この方法（例えば、手順または技法）は、アクティブタイマの値を変更するのに使用され得る。ＷＴＲＵは、別のＮＡＳメッセージ（例えば、「ＮＡＳ  ＵＥフィーチャ確認応答」）で応答して、ＷＴＲＵが、相応するようにそのＰＳＭ設定を変更したことをＭＭＥに知らせることが可能であり、アクティブタイマの使用を知らせることも可能である。ＷＴＲＵは、「ＮＡＳ  ＵＥフィーチャ拒否」で応答すること、および要求がＷＴＲＵによってなぜ拒否されたかを示す理由コードを含めることが可能である。例えば、ＷＴＲＵは、その電力レベルが、ある構成された閾値を下回っている可能性がある場合、提供、コマンドを拒否するように構成されることが可能であり、かつ／またはＰＳＭを使用することを停止するコマンドを与えることが可能であり、かつ「低電力レベル」などの理由コードを返すことが可能である。例において、ＷＴＲＵは、その実際の電力レベルを示す電力レベルメトリックを送信するように構成されることが可能であり、かつ／または送信することが可能である（例えば、ＮＡＳメッセージにおいて）。
【０１１０】
ＡＳ、ＭＭＥ、および／またはＷＴＲＵは、ネットワーク輻輳を回避するようにＷＴＲＵにおける他のフィーチャをアクティブ化するように、または非アクティブ化するように構成され得る。同様に、ＰＳＭをイネーブルにする、かつ／またはディセーブルにする他のパラメータが要求に含められることが可能である。
【０１１１】
サービングノード（例えば、ＳＧＳＮ／ＭＭＥ）は、例えば、ＷＴＲＵ、および／またはグループ内のＷＴＲＵのうちの１または複数が、変更されたＰＳＭ設定の使用に応答した場合（例えば、５０において）、ＩＷＦ／ＳＣＥＦ／インターフェースを介してＡＳに応答する（例えば、５１において）ように構成されることが可能である。例えば、サービングノード（例えば、ＳＧＳＮ／ＭＭＥ）は、ＷＴＲＵ（例えば、２５０）がどれだけの間、到達可能でない可能性があるかについてＡＳ（例えば、２１０および／または３１０）に知らせる（例えば、５１において）ことが可能である。
【０１１２】
サービングノード（例えば、ＳＧＳＮ／ＭＭＥ）は、ＷＴＲＵがＰＳＭを終了したことをインターフェース（例えば、ＩＷＦ／ＳＣＥＦ／インターフェースを含む）を介してＡＳに知らせるように構成されることが可能であり、ＷＴＲＵに前回に与えられたアクティブタイマの長さを与えることも可能である。例えば、サービングノードは、ＷＴＲＵが、ＮＡＳメッセージ（例えば、サービス要求、ＴＡＵ、および類似したもの）を使用してサービングノードを相手にＮＡＳシグナリング接続を確立した場合、そうすることが可能である。サービングノードが、第１のメッセージとしてＴＡＵを受信し、かつアクティブタイマがまもなくＷＴＲＵに与えられ得る（または与えられている可能性がある）場合、ＭＭＥは、アクティブタイマが割り当てられた後（またはＰＳＭ設定もしくはＰＳＭフィーチャが変更された、例えば、アクティブ化された、非アクティブ化された、および類似したことが行われた後）、ＡＳに通知を送信する。
【０１１３】
以上の開示は、ＬＴＥシステムの脈絡において例を与えるものの、同一の例は、ＧＥＲＡＮ／ＵＭＴＳシステムの脈絡において適用されてもよく、その場合、ＳＧＳＮがＭＭＥに置き換わり、対応するＮＡＳメッセージが、前述されている例を実現するのに使用されることが可能であり、ＮＡＳメッセージが、前述されているとおり定義されることも可能であることが当業者によって認識され得る。
【０１１４】
本開示において説明される技法、プロセス、および手順は、Ｇｌｏｂａｌ  Ｓｙｓｔｅｍ  ｆｏｒ  Ｍｏｂｉｌｅ  Ｃｏｍｍｕｎｉｃａｔｉｏｎｓ  Ｒａｄｉｏ  Ａｃｃｅｓｓ  Ｎｅｔｗｏｒｋ（ＧＥＲＡＮ）、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）、ＧＳＭ  ＥＤＧＥ（ＧＥＲＡＮ）、Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）、ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（ｅＵＴＲＡＮ）、Ｆｉｒｓｔ  Ｒｅｓｐｏｎｄｅｒ  Ｎｅｔｗｏｒｋ  Ａｕｔｈｏｒｉｔｙ（ＦｉｒｓｔＮｅｔ）、または広帯域符号分割多元接続（ＷＣＤＭＡ）を使用する他のセルラーネットワーク、Ｈｉｇｈ  Ｓｐｅｅｄ  Ｐａｃｋｅｔ  Ａｃｃｅｓｓ（ＨＳＰＡ）、車両アドホックネットワーク、ＩＥＥＥ８０２．１６（例えば、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ））、ＣＤＭＡ２０００、ＣＤＭＡ２０００  １Ｘ、ＣＤＭＡ２０００  ＥＶ−ＤＯ、Ｉｎｔｅｒｉｍ  Ｓｔａｎｄａｒｄ  ２０００（ＩＳ−２０００）、Ｉｎｔｅｒｉｍ  Ｓｔａｎｄａｒｄ  ９５（ＩＳ−９５）、Ｉｎｔｅｒｉｍ  Ｓｔａｎｄａｒｄ  ８５６（ＩＳ−８５６）などの他の無線技術、および類似したものに適用され得る。
【０１１５】
ＷＴＲＵとは、物理デバイスの識別子、または契約関連の識別子、例えば、ＭＳＩＳＤＮ、ＳＩＰ  ＵＲＩその他などのユーザの識別子を指すことが可能であり、ＭＴＣ  ＷＴＲＵとは、アプリケーションベースの識別子、例えば、アプリケーションごとに使用され得るユーザ名を指すことが可能である。
【０１１６】
前述したプロセスは、コンピュータおよび／またはプロセッサによって実行されるようにコンピュータ可読媒体に組み込まれたコンピュータプログラム、ソフトウェア、および／またはファームウェアにおいて実施され得る。コンピュータ可読媒体の例は、電子信号（有線接続および／またはワイヤレス接続を介して送信される）および／またはコンピュータ可読記憶媒体を含むが、これらには限定されない。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内部ハードディスクおよびリムーバブルディスクなどの、ただし、これらには限定されない磁気媒体、光磁気媒体、および／またはＣＤ−ＲＯＭディスクおよび／またはデジタルバーサタイルディスク（ＤＶＤ）などの光媒体を含むが、これらには限定されない。プロセッサが、ソフトウェアに関連して、ＭＴＣ  ＷＴＲＵ、ＵＥ、端末、基地局、ＲＮＣ、および／または任意のホストコンピュータにおいて使用するための無線周波数トランシーバを実装するのに使用され得る。
【図１Ａ】
0006640756.tif 000002
【図１Ｂ】
0006640756.tif 000003
【図１Ｃ】
0006640756.tif 000004
【図１Ｄ】
0006640756.tif 000005
【図１Ｅ】
0006640756.tif 000006
【図１Ｆ】
0006640756.tif 000007
【図２】
0006640756.tif 000008
【図３】
0006640756.tif 000009
【図４】
0006640756.tif 000010